(57)【特許請求の範囲】
【請求項１】
アップリンク制御情報伝送方法であって、
伝送対象のアップリンク制御情報の情報ビットシーケンスを端末デバイスが決定する段階と、
前記情報ビットシーケンスにしたがって第１のシーケンスを前記端末デバイスが決定する段階であって、前記第１のシーケンスは線形位相の複素指数シーケンスである、段階と、
アップリンク制御チャネルを使用することによって、前記伝送対象のアップリンク制御情報を基地局に前記端末デバイスが送信する段階であって、前記アップリンク制御チャネルはＮ個のシンボルを占有し、Ｎは正の整数であり、前記Ｎ個のシンボルのうちのシンボルｌにおいて保持される信号は、前記第１のシーケンスと第２のシーケンスとの積に正比例しており、前記第２のシーケンスは巡回シフトシーケンスであり、ｌはシンボル番号であり、ｌ＝０，１，・・・，Ｎ−１のうちのいずれか１つに対応する番号であって、前記シンボルｌは、Ｎ個のシンボルのうちの１つである、段階と
を備える方法。
【請求項２】
前記情報ビットシーケンスにしたがって第１のシーケンスを前記端末デバイスが決定する前記段階は、
前記情報ビットシーケンスと前記アップリンク制御チャネルの前記シンボルの数Ｎとにしたがって第１のビットシーケンスを前記端末デバイスが決定する段階であって、前記第１のビットシーケンスのビット数はＮまたは２Ｎである、段階と、
前記シンボルｌにおいて保持される第２のビットシーケンスを前記第１のビットシーケンスにしたがって前記端末デバイスが決定する段階であって、前記第２のビットシーケンスは、前記第１のビットシーケンスのうちの、前記シンボルｌにおいて保持される部分である、段階と、
前記シンボルｌにおいて保持される前記第２のビットシーケンスにしたがって、対応する前記第１のシーケンスを前記端末デバイスが決定する段階と
を有する、請求項１に記載の方法。
【請求項３】
前記情報ビットシーケンスのビット数は１であり、前記端末デバイスは、前記第１のビットシーケンスの前記ビット数がＮであると決定し、前記第１のビットシーケンスが、前記情報ビットシーケンスをＮ回循環して繰り返すことによって取得されると決定する、または、
前記情報ビットシーケンスのビット数は２であり、前記端末デバイスは、前記第１のビットシーケンスの前記ビット数が２Ｎであると決定し、前記第１のビットシーケンスが、前記情報ビットシーケンスをＮ回循環して繰り返すことによって取得されると決定する、または、
前記情報ビットシーケンスのビット数は、３より多いかまたはそれに等しく、かつ２Ｎより少ないかまたはそれに等しく、前記端末デバイスは、前記第１のビットシーケンスの前記ビット数が２Ｎであると決定し、前記第１のビットシーケンスが、リード・ミュラー符号化によって前記情報ビットシーケンスから取得されると決定する、請求項２に記載の方法。
【請求項４】
前記シンボルｌにおいて保持される前記第２のビットシーケンスにしたがって、対応する前記第１のシーケンスを前記端末デバイスが決定する前記段階は、
前記シンボルｌにおいて保持される前記第２のビットシーケンスのビット数が１である場合、前記第２のビットシーケンスが０のとき、前記第１のシーケンスは｛１，１，１，１，１，１，１，１，１，１，１，１｝であり、もしくは、前記第２のビットシーケンスが１のとき、前記第１のシーケンスは｛１，−１，１，−１，１，−１，１，−１，１，−１，１，−１｝であること、または、
前記シンボルｌにおいて保持される前記第２のビットシーケンスのビット数が２である場合、前記第２のビットシーケンスが００のとき、前記第１のシーケンスは｛１，１，１，１，１，１，１，１，１，１，１，１｝であり、前記第２のビットシーケンスが０１のとき、前記第１のシーケンスは｛１，−ｊ，１，−１，１，−ｊ，１，−１，１，−ｊ，１，−１｝であり、前記第２のビットシーケンスが１０のとき、前記第１のシーケンスは｛１，−１，１，−１，１，−１，１，−１，１，−１，１，−１｝であり、もしくは、前記第２のビットシーケンスが１１のとき、前記第１のシーケンスは｛１，ｊ，−１，−ｊ，１，ｊ，−１，−ｊ，１，ｊ，−１，−ｊ｝であること
を含む、請求項２または３に記載の方法。
【請求項５】
前記情報ビットシーケンスにしたがって第１のシーケンスを前記端末デバイスが決定する前記段階は、
前記情報ビットシーケンスのビット数が１である場合、前記情報ビットシーケンスが０のとき、前記第１のシーケンスは｛１，１，１，１，１，１，１，１，１，１，１，１｝であり、もしくは、前記情報ビットシーケンスが１のとき、前記第１のシーケンスは｛１，−１，１，−１，１，−１，１，−１，１，−１，１，−１｝であること、または、
前記情報ビットシーケンスのビット数が２である場合、前記情報ビットシーケンスが００のとき、前記第１のシーケンスは｛１，１，１，１，１，１，１，１，１，１，１，１｝であり、前記情報ビットシーケンスが０１のとき、前記第１のシーケンスは｛１，−ｊ，１，−１，１，−ｊ，１，−１，１，−ｊ，１，−１｝であり、前記情報ビットシーケンスが１０のとき、前記第１のシーケンスは{１，−１，１，−１，１，−１，１，−１，１，−１，１，−１}であり、もしくは、前記情報ビットシーケンスが１１のとき、前記第１のシーケンスは｛１，ｊ，−１，−ｊ，１，ｊ，−１，−ｊ，１，ｊ，−１，−ｊ｝であること
を有する、請求項１に記載の方法。
【請求項６】
前記第２のシーケンスは、ザドフ・チューシーケンス、または、巡回拡張または切り捨てによってザドフ・チューシーケンスから取得されるシーケンスである、請求項１から５のいずれか一項に記載の方法。
【請求項７】
前記アップリンク制御チャネルの前記シンボルの数Ｎは、１つのサブフレームに含まれるシンボルの数より少ない、請求項１から６のいずれか一項に記載の方法。
【請求項８】
アップリンク制御情報伝送方法であって、
アップリンク制御チャネルを使用することによって端末デバイスによって送信されるアップリンク制御情報を基地局が受信する段階であって、前記アップリンク制御チャネルはＮ個のシンボルを占有し、Ｎは正の整数であり、前記Ｎ個のシンボルのうちのシンボルｌにおいて保持される信号は、第１のシーケンスと第２のシーケンスとの積に正比例し、前記第２のシーケンスは巡回シフトシーケンスであり、ｌはシンボル番号であり、ｌ＝０，１，・・・，Ｎ−１のうちのいずれか１つに対応する番号であって、前記シンボルｌは、Ｎ個のシンボルのうちの１つである、段階と、
前記アップリンク制御情報の情報ビット数と前記第２のシーケンスとにしたがって前記第１のシーケンスを前記基地局が決定する段階であって、前記第１のシーケンスは、線形位相の複素指数シーケンスである段階と、
前記第１のシーケンスにしたがって前記アップリンク制御情報の情報ビットシーケンスを前記基地局が決定する段階と
を備える方法。
【請求項９】
前記第１のシーケンスにしたがって前記アップリンク制御情報の情報ビットシーケンスを前記基地局が決定する前記段階は、
前記シンボルｌにおいて保持される第２のビットシーケンスのビット数を前記アップリンク制御情報の前記情報ビット数にしたがって前記基地局が決定する段階と、
前記シンボルｌにおいて保持される前記第２のビットシーケンスを、前記第１のシーケンスと前記シンボルｌにおいて保持される前記第２のビットシーケンスの前記ビット数とにしたがって前記基地局が決定する段階と、
前記シンボルｌにおいて保持される前記第２のビットシーケンスにしたがって前記アップリンク制御情報の前記情報ビットシーケンスを前記基地局が決定する段階とを有し、
前記シンボルｌにおいて保持される前記第２のビットシーケンスを、前記第１のシーケンスと前記シンボルｌにおいて保持される前記第２のビットシーケンスの前記ビット数とにしたがって前記基地局が決定する前記段階は、
前記シンボルｌにおいて保持される前記第２のビットシーケンスの前記ビット数が１である場合、前記第１のシーケンスが｛１，１，１，１，１，１，１，１，１，１，１，１｝のとき、前記シンボルｌにおいて保持される前記第２のビットシーケンスは０であり、もしくは、前記第１のシーケンスが｛１，−１，１，−１，１，−１，１，−１，１，−１，１，−１｝のとき、前記シンボルｌにおいて保持される前記第２のビットシーケンスは１であること、または、
前記シンボルｌにおいて保持される前記第２のビットシーケンスの前記ビット数が２である場合、前記第１のシーケンスが｛１，１，１，１，１，１，１，１，１，１，１，１｝のとき、前記シンボルｌにおいて保持される前記第２のビットシーケンスは００であり、前記第１のシーケンスが｛１，−ｊ，１，−１，１，−ｊ，１，−１，１，−ｊ，１，−１｝のとき、前記シンボルｌにおいて保持される前記第２のビットシーケンスは０１であり、前記第１のシーケンスが｛１，−１，１，−１，１，−１，１，−１，１，−１，１，−１｝のとき、前記シンボルｌにおいて保持される前記第２のビットシーケンスは１０であり、もしくは、前記第１のシーケンスが｛１，ｊ，−１，−ｊ，１，ｊ，−１，−ｊ，１，ｊ，−１，−ｊ｝のとき、前記シンボルｌにおいて保持される前記第２のビットシーケンスは１１であることを含む、
請求項８に記載の方法。
【請求項１０】
前記第１のシーケンスにしたがって前記アップリンク制御情報の情報ビットシーケンスを前記基地局が決定する前記段階は、
前記第１のシーケンスと前記アップリンク制御情報の前記情報ビット数とにしたがって、前記アップリンク制御情報の前記情報ビットシーケンスを前記基地局が決定する段階を有し、前記決定する段階は、
前記アップリンク制御情報の前記情報ビット数が１である場合、前記第１のシーケンスが｛１，１，１，１，１，１，１，１，１，１，１，１｝のとき、前記シンボルｌにおいて保持される第２のビットシーケンスは０であり、もしくは、前記第１のシーケンスが｛１，−１，１，−１，１，−１，１，−１，１，−１，１，−１｝のとき、前記シンボルｌにおいて保持される第２のビットシーケンスは１であること、または、
前記アップリンク制御情報の前記情報ビット数が２である場合、前記第１のシーケンスが｛１，１，１，１，１，１，１，１，１，１，１，１｝のとき、前記シンボルｌにおいて保持される第２のビットシーケンスは００であり、前記第１のシーケンスが｛１，−ｊ，１，−１，１，−ｊ，１，−１，１，−ｊ，１，−１｝のとき、前記シンボルｌにおいて保持される第２のビットシーケンスは０１であり、前記第１のシーケンスが｛１，−１，１，−１，１，−１，１，−１，１，−１，１，−１｝のとき、前記シンボルｌにおいて保持される第２のビットシーケンスは１０であり、もしくは、前記第１のシーケンスが｛１，ｊ，−１，−ｊ，１，ｊ，−１，−ｊ，１，ｊ，−１，−ｊ｝のとき、前記シンボルｌにおいて保持される第２のビットシーケンスは１１であることを含む、
請求項８に記載の方法。
【請求項１１】
前記第２のシーケンスは、ザドフ・チューシーケンス、または、巡回拡張または切り捨てによってザドフ・チューシーケンスから取得されるシーケンスである、請求項８から１０のいずれか一項に記載の方法。
【請求項１２】
前記アップリンク制御チャネルの前記シンボルの数Ｎは、１つのサブフレームに含まれるシンボルの数より少ない、請求項８から１１のいずれか一項に記載の方法。
【請求項１３】
端末デバイスであって、
伝送対象のアップリンク制御情報の情報ビットシーケンスを決定する処理ユニットであって、前記処理ユニットはさらに、前記情報ビットシーケンスにしたがって第１のシーケンスを決定し、前記第１のシーケンスは、線形位相の複素指数シーケンスである、処理ユニットと、
アップリンク制御チャネルを使用することによって、前記伝送対象のアップリンク制御情報を基地局に送信する送信ユニットであって、前記アップリンク制御チャネルはＮ個のシンボルを占有し、Ｎは正の整数であり、前記Ｎ個のシンボルのうちのシンボルｌにおいて保持される信号は、前記第１のシーケンスと第２のシーケンスとの積に正比例し、前記第２のシーケンスは巡回シフトシーケンスであり、ｌはシンボル番号であり、ｌ＝０，１，・・・，Ｎ−１のうちのいずれか１つに対応する番号であって、前記シンボルｌは、Ｎ個のシンボルのうちの１つである、送信ユニットと
を備える端末デバイス。
【請求項１４】
前記処理ユニットが、前記情報ビットシーケンスにしたがって第１のシーケンスを決定することは、
前記情報ビットシーケンスと前記アップリンク制御チャネルの前記シンボルの数Ｎとにしたがって第１のビットシーケンスを前記処理ユニットが決定することであって、前記第１のビットシーケンスのビット数はＮまたは２Ｎである、ことと、
前記シンボルｌにおいて保持される第２のビットシーケンスを前記第１のビットシーケンスにしたがって前記処理ユニットが決定することであって、前記第２のビットシーケンスは、前記第１のビットシーケンスのうちの、前記シンボルｌにおいて保持される部分である、ことと、
前記シンボルｌにおいて保持される前記第２のビットシーケンスにしたがって、対応する前記第１のシーケンスを前記処理ユニットが決定することと
を有する、請求項１３に記載の端末デバイス。
【請求項１５】
前記情報ビットシーケンスのビット数は１であり、前記処理ユニットは、前記第１のビットシーケンスの前記ビット数がＮであると決定し、前記第１のビットシーケンスが、前記情報ビットシーケンスをＮ回循環して繰り返すことによって取得されると決定する、または、
前記情報ビットシーケンスのビット数は２であり、前記処理ユニットは、前記第１のビットシーケンスの前記ビット数が２Ｎであると決定し、前記第１のビットシーケンスが、前記情報ビットシーケンスをＮ回循環して繰り返すことによって取得されると決定する、または、
前記情報ビットシーケンスのビット数は、３より多いかまたはそれに等しく、かつ２Ｎより少ないかまたはそれに等しく、前記処理ユニットは、前記第１のビットシーケンスの前記ビット数が２Ｎであると決定し、前記第１のビットシーケンスが、リード・ミュラー符号化によって前記情報ビットシーケンスから取得されると決定する、請求項１４に記載の端末デバイス。
【請求項１６】
前記処理ユニットが、前記シンボルｌにおいて保持される前記第２のビットシーケンスにしたがって、対応する前記第１のシーケンスを決定することは、
前記シンボルｌにおいて保持される前記第２のビットシーケンスのビット数が１である場合、前記第２のビットシーケンスが０のとき、前記第１のシーケンスは｛１，１，１，１，１，１，１，１，１，１，１，１｝であり、もしくは、前記第２のビットシーケンスが１のとき、前記第１のシーケンスは｛１，−１，１，−１，１，−１，１，−１，１，−１，１，−１｝であること、または、
前記シンボルｌにおいて保持される前記第２のビットシーケンスのビット数が２である場合、前記第２のビットシーケンスが００のとき、前記第１のシーケンスは｛１，１，１，１，１，１，１，１，１，１，１，１｝であり、前記第２のビットシーケンスが０１のとき、前記第１のシーケンスは｛１，−ｊ，１，−１，１，−ｊ，１，−１，１，−ｊ，１，−１｝であり、前記第２のビットシーケンスが１０のとき、前記第１のシーケンスは｛１，−１，１，−１，１，−１，１，−１，１，−１，１，−１｝であり、もしくは、前記第２のビットシーケンスが１１のとき、前記第１のシーケンスは｛１，ｊ，−１，−ｊ，１，ｊ，−１，−ｊ，１，ｊ，−１，−ｊ｝であること
を含む、請求項１４または１５に記載の端末デバイス。
【請求項１７】
前記処理ユニットが、前記情報ビットシーケンスにしたがって第１のシーケンスを決定することは、
前記情報ビットシーケンスのビット数が１である場合、前記情報ビットシーケンスが０のとき、前記第１のシーケンスは｛１，１，１，１，１，１，１，１，１，１，１，１｝であり、もしくは、前記情報ビットシーケンスが１のとき、前記第１のシーケンスは｛１，−１，１，−１，１，−１，１，−１，１，−１，１，−１｝であること、または、
前記情報ビットシーケンスのビット数が２である場合、前記情報ビットシーケンスが００のとき、前記第１のシーケンスは｛１，１，１，１，１，１，１，１，１，１，１，１｝であり、前記情報ビットシーケンスが０１のとき、前記第１のシーケンスは｛１，−ｊ，１，−１，１，−ｊ，１，−１，１，−ｊ，１，−１｝であり、前記情報ビットシーケンスが１０のとき、前記第１のシーケンスは{１，−１，１，−１，１，−１，１，−１，１，−１，１，−１}であり、もしくは、前記情報ビットシーケンスが１１のとき、前記第１のシーケンスは｛１，ｊ，−１，−ｊ，１，ｊ，−１，−ｊ，１，ｊ，−１，−ｊ｝であること
有する、請求項１３に記載の端末デバイス。
【請求項１８】
前記第２のシーケンスは、ザドフ・チューシーケンス、または、巡回拡張または切り捨てによってザドフ・チューシーケンスから取得されるシーケンスである、請求項１３から１７のいずれか一項に記載の端末デバイス。
【請求項１９】
前記アップリンク制御チャネルの前記シンボルの数Ｎは、１つのサブフレームに含まれるシンボルの数より少ない、請求項１３から１８のいずれか一項に記載の端末デバイス。
【請求項２０】
基地局であって、
アップリンク制御チャネルを使用することによって端末デバイスによって送信されるアップリンク制御情報を受信する受信ユニットであって、前記アップリンク制御チャネルはＮ個のシンボルを占有し、Ｎは正の整数であり、前記Ｎ個のシンボルのうちのシンボルｌにおいて保持される信号は、第１のシーケンスと第２のシーケンスとの積に正比例し、前記第２のシーケンスは巡回シフトシーケンスであり、ｌはシンボル番号であり、ｌ＝０，１，・・・，Ｎ−１のうちのいずれか１つに対応する番号であって、前記シンボルｌは、Ｎ個のシンボルのうちの１つである、受信ユニットと、
前記アップリンク制御情報の情報ビット数と前記第２のシーケンスとにしたがって前記第１のシーケンスを決定する処理ユニットであって、前記第１のシーケンスは、線形位相の複素指数シーケンスである、処理ユニットと
を備え、
前記処理ユニットはさらに、前記第１のシーケンスにしたがって前記アップリンク制御情報の情報ビットシーケンスを決定する、
基地局。
【請求項２１】
前記処理ユニットが、前記第１のシーケンスにしたがって前記アップリンク制御情報の情報ビットシーケンスを決定することは、
前記シンボルｌにおいて保持される第２のビットシーケンスのビット数を前記アップリンク制御情報の前記情報ビット数にしたがって前記処理ユニットが決定することと、
前記シンボルｌにおいて保持される前記第２のビットシーケンスを前記第１のシーケンスと前記シンボルｌにおいて保持される前記第２のビットシーケンスの前記ビット数とにしたがって前記処理ユニットが決定することと、
前記シンボルｌにおいて保持される前記第２のビットシーケンスにしたがって前記アップリンク制御情報の前記情報ビットシーケンスを前記処理ユニットが決定することを有し、
前記シンボルｌにおいて保持される前記第２のビットシーケンスを前記第１のシーケンスと前記シンボルｌにおいて保持される前記第２のビットシーケンスの前記ビット数とにしたがって前記処理ユニットが前記決定することは、
前記シンボルｌにおいて保持される前記第２のビットシーケンスの前記ビット数が１である場合、前記第１のシーケンスが｛１，１，１，１，１，１，１，１，１，１，１，１｝のとき、前記シンボルｌにおいて保持される前記第２のビットシーケンスは０であり、もしくは、前記第１のシーケンスが｛１，−１，１，−１，１，−１，１，−１，１，−１，１，−１｝のとき、前記シンボルｌにおいて保持される前記第２のビットシーケンスは１であること、または、
前記シンボルｌにおいて保持される前記第２のビットシーケンスの前記ビット数が２である場合、前記第１のシーケンスが｛１，１，１，１，１，１，１，１，１，１，１，１｝のとき、前記シンボルｌにおいて保持される前記第２のビットシーケンスは００であり、前記第１のシーケンスが｛１，−ｊ，１，−１，１，−ｊ，１，−１，１，−ｊ，１，−１｝のとき、前記シンボルｌにおいて保持される前記第２のビットシーケンスは０１であり、前記第１のシーケンスが｛１，−１，１，−１，１，−１，１，−１，１，−１，１，−１｝のとき、前記シンボルｌにおいて保持される前記第２のビットシーケンスは１０であり、もしくは、前記第１のシーケンスが｛１，ｊ，−１，−ｊ，１，ｊ，−１，−ｊ，１，ｊ，−１，−ｊ｝のとき、前記シンボルｌにおいて保持される前記第２のビットシーケンスは１１であることを含む、
請求項２０に記載の基地局。
【請求項２２】
前記処理ユニットが、前記第１のシーケンスにしたがって前記アップリンク制御情報の情報ビットシーケンスを決定することは、
前記第１のシーケンスと前記アップリンク制御情報の前記情報ビット数とにしたがって前記アップリンク制御情報の前記情報ビットシーケンスを前記処理ユニットが決定することを有し、前記決定することは、
前記アップリンク制御情報の前記情報ビット数が１である場合、前記第１のシーケンスが｛１，１，１，１，１，１，１，１，１，１，１，１｝のとき、前記シンボルｌにおいて保持される第２のビットシーケンスは０であり、もしくは、前記第１のシーケンスが｛１，−１，１，−１，１，−１，１，−１，１，−１，１，−１｝のとき、前記シンボルｌにおいて保持される第２のビットシーケンスは１であること、または、
前記アップリンク制御情報の前記情報ビット数が２である場合、前記第１のシーケンスが｛１，１，１，１，１，１，１，１，１，１，１，１｝のとき、前記シンボルｌにおいて保持される第２のビットシーケンスは００であり、前記第１のシーケンスが｛１，−ｊ，１，−１，１，−ｊ，１，−１，１，−ｊ，１，−１｝のとき、前記シンボルｌにおいて保持される第２のビットシーケンスは０１であり、前記第１のシーケンスが｛１，−１，１，−１，１，−１，１，−１，１，−１，１，−１｝のとき、前記シンボルｌにおいて保持される第２のビットシーケンスは１０であり、もしくは、前記第１のシーケンスが｛１，ｊ，−１，−ｊ，１，ｊ，−１，−ｊ，１，ｊ，−１，−ｊ｝のとき、前記シンボルｌにおいて保持される第２のビットシーケンスは１１であることを含む、
請求項２０に記載の基地局。
【請求項２３】
前記第２のシーケンスは、ザドフ・チューシーケンス、または、巡回拡張または切り捨てによってザドフ・チューシーケンスから取得されるシーケンスである、請求項２０から２２のいずれか一項に記載の基地局。
【請求項２４】
前記アップリンク制御チャネルの前記シンボルの数Ｎは、１つのサブフレームに含まれるシンボルの数より少ない、請求項２０から２３のいずれか一項に記載の基地局。
【請求項２５】
実行されたときに請求項１から７のいずれか一項に記載の方法をコンピュータに行わせるコードを備えるコンピュータ可読プログラム。
【請求項２６】
実行されたときに請求項８から１２のいずれか一項に記載の方法をコンピュータに行わせるコードを備えるコンピュータ可読プログラム。
【請求項２７】
伝送対象のアップリンク制御情報の情報ビットシーケンスを決定するプロセッサであって、前記プロセッサはさらに、前記情報ビットシーケンスにしたがって第１のシーケンスを決定し、前記第１のシーケンスは、線形位相の複素指数シーケンスである、プロセッサと、
アップリンク制御チャネルを使用することによって、前記伝送対象のアップリンク制御情報を基地局に送信する送信器であって、前記アップリンク制御チャネルはＮ個のシンボルを占有し、Ｎは正の整数であり、前記Ｎ個のシンボルのうちのシンボルｌにおいて保持される信号は、前記第１のシーケンスと第２のシーケンスとの積に正比例し、前記第２のシーケンスは巡回シフトシーケンスであり、ｌはシンボル番号であり、ｌ＝０，１，・・・，Ｎ−１のうちのいずれか１つに対応する番号であって、前記シンボルｌは、Ｎ個のシンボルのうちの１つである、送信器と
を備える装置。
【請求項２８】
アップリンク制御チャネルを使用することによって端末デバイスによって送信されるアップリンク制御情報を受信する受信器であって、前記アップリンク制御チャネルはＮ個のシンボルを占有し、Ｎは正の整数であり、前記Ｎ個のシンボルのうちのシンボルｌにおいて保持される信号は、第１のシーケンスと第２のシーケンスとの積に正比例し、前記第２のシーケンスは巡回シフトシーケンスであり、ｌはシンボル番号であり、ｌ＝０，１，・・・，Ｎ−１のうちのいずれか１つに対応する番号であって、前記シンボルｌは、Ｎ個のシンボルのうちの１つである、受信器と、
前記アップリンク制御情報の情報ビット数と前記第２のシーケンスとにしたがって前記第１のシーケンスを決定するプロセッサであって、前記第１のシーケンスは、線形位相の複素指数シーケンスである、プロセッサと
を備え、
前記プロセッサはさらに、前記第１のシーケンスにしたがって前記アップリンク制御情報の情報ビットシーケンスを決定する、
装置。
【発明の詳細な説明】
【技術分野】
【０００１】
本発明の実施形態は、無線通信分野に関し、より具体的には、アップリンク制御情報伝送方法、端末デバイス、基地局、および通信システムに関する。
【背景技術】
【０００２】
現行のロングタームエボリューション（Ｌｏｎｇ  Ｔｅｒｍ  Ｅｖｏｌｕｔｉｏｎ、ＬＴＥ）システムでは、サブフレーム（Ｓｕｂｆｒａｍｅ）は１ミリ秒（ｍｓ）の持続時間を有し、各サブフレームは、１４個の時間領域シンボルを含む。通常、ＬＴＥシステムにおいて、アップリンク制御情報は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）を使用することによってアップリンクサブフレームにおいて伝送されてよい。既存のＰＵＣＣＨは、１４個の時間領域シンボルを占有する。
【０００３】
ダイナミックスケジューリング、ダウンリンク多入力多出力（Ｍｕｌｔｉｐｌｅ  Ｉｎｐｕｔ  Ｍｕｌｔｉｐｌｅ  Ｏｕｔｐｕｔ、ＭＩＭＯ）伝送、およびハイブリッド自動再送要求などの技術をサポートすべく、端末デバイスは、チャネル状態情報ＣＳＩ、ハイブリッド自動再送要求確認応答ＨＡＲＱ−ＡＣＫ、スケジューリング要求（ＳＲ、Ｓｃｈｅｄｕｌｉｎｇ  Ｒｅｑｕｅｓｔ）、および同様のものを含むアップリンク制御情報（ＵＣＩ、Ｕｐｌｉｎｋ  Ｃｏｎｔｒｏｌ  Ｉｎｆｏｒｍａｔｉｏｎ）を基地局にフィードバックする必要がある。ハイブリッド自動再送要求確認応答は、単に肯定応答（Ａｃｋｎｏｗｌｅｄｇｍｅｎｔ、ＡＣＫ）／否定応答（Ｎｅｇａｔｉｖｅ  Ａｃｋｎｏｗｌｅｄｇｅｍｅｎｔ、ＮＡＣＫ）と称されてよい。
【０００４】
将来の発展型ＬＴＥシステムでは、ＴＴＩ（Ｔｒａｎｓｍｉｓｓｉｏｎ  Ｔｉｍｅ  Ｉｎｔｅｒｖａｌ）を縮小してサービス遅延を低減してよい、すなわち、伝送時間間隔ＴＴＩは、１つのサブフレームでなくてよく、例えば、７つより少ない時間領域シンボルを含んでよい。ＴＴＩが縮小されるとき、物理アップリンク制御チャネルＰＵＣＣＨなどのアップリンク制御情報伝送用のアップリンク制御チャネルは、時間領域において１４個より少ないシンボルを占有してよい。
【０００５】
加えて、将来の発展型ＬＴＥ  ＴＤＤシステムでは、新しいサブフレームタイプが導入される。新しいサブフレームタイプのサブフレームは、ダウンリンク伝送に使用されるシンボル、アップリンク伝送に使用されるシンボル、およびガード期間ＧＰを含む。アップリンク制御情報は、新しいサブフレームタイプのサブフレームにおいてアップリンク伝送に使用されるシンボルにおいて伝送されてよい。例えば、将来の発展型ＬＴＥシステムにおいて、図１に示されるサブフレームタイプが導入されてよい。図１に示されるサブフレームタイプのサブフレームは、ダウンリンク伝送に使用される１１個のシンボル、１つのシンボルの持続時間を有するガード期間（ガード期間、ＧＰ）、および、アップリンク伝送に使用される２つのシンボルを含む。アップリンク制御情報は、アップリンク伝送に使用される２つのシンボルにおいて伝送されてよい。
【０００６】
既存の物理アップリンク制御チャネルＰＵＣＣＨは、時間領域において１４個のシンボルを占有する必要があり、ショートＴＴＩシナリオにおける、または新しいサブフレームタイプのサブフレームにおけるアップリンク制御情報伝送には適用できない。ゆえに、アップリンク制御情報伝送のために新しいアップリンク制御チャネル構造を設計する必要がある。
【発明の概要】
【０００７】
本発明の実施形態は、アップリンク制御情報伝送方法、端末デバイス、基地局、および通信システムを提供する。これにより、１つのサブフレームに含まれるものより少ないシンボルを占有するＰＵＣＣＨ上ではアップリンク制御情報伝送が行われ得ないという既存の課題が解消される。
【０００８】
本発明の第１態様によると、アップリンク制御情報伝送方法が提供される。当該方法は、伝送対象のアップリンク制御情報の情報ビットシーケンスを端末デバイスが決定する段階と、情報ビットシーケンスにしたがって第１のシーケンスを端末デバイスが決定する段階であって、第１のシーケンスは、線形位相の複素指数シーケンスである、段階と、アップリンク制御チャネルを使用することによって、伝送対象のアップリンク制御情報を基地局に端末デバイスが送信する段階であって、アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである、段階とを備える。
【０００９】
第１態様に関連して、第１の可能な実装例において、情報ビットシーケンスにしたがって第１のシーケンスを端末デバイスが決定する段階は、情報ビットシーケンスとアップリンク制御チャネルのシンボル数Ｎとにしたがって第１のビットシーケンスを端末デバイスが決定する段階であって、第１のビットシーケンスのビット数はＮまたは２Ｎである、段階と、シンボルｌにおいて保持される第２のビットシーケンスを第１のビットシーケンスにしたがって端末デバイスが決定する段階であって、第２のビットシーケンスは、第１のビットシーケンスのうちの、シンボルｌにおいて保持される部分である、段階と、シンボルｌにおいて保持される第２のビットシーケンスにしたがって、対応する第１のシーケンスを端末デバイスが決定する段階とを有する。
【００１０】
第１態様の第１の可能な実装例に関連して、第２の可能な実装例において、情報ビットシーケンスのビット数は１であり、端末デバイスは、第１のビットシーケンスのビット数がＮであると決定し、第１のビットシーケンスが、情報ビットシーケンスをＮ回循環して繰り返すことによって取得されると決定する。
【００１１】
第１態様の第１の可能な実装例に関連して、第３の可能な実装例において、情報ビットシーケンスのビット数は２であり、端末デバイスは、第１のビットシーケンスのビット数が２Ｎであると決定し、第１のビットシーケンスが、情報ビットシーケンスをＮ回循環して繰り返すことによって取得されると決定する。
【００１２】
第１態様の第１の可能な実装例に関連して、第４の可能な実装例において、情報ビットシーケンスのビット数は３より多いかまたはそれに等しく、かつ２Ｎより少ないかまたはそれに等しく、端末デバイスは、第１のビットシーケンスのビット数が２Ｎであると決定し、第１のビットシーケンスが、リード・ミュラー符号化によって情報ビットシーケンスから取得されると決定する。
【００１３】
第１態様の第１の可能な実装例から第４の可能な実装例のうちのいずれか１つに関連して、第５の可能な実装例において、シンボルｌにおいて保持される第２のビットシーケンスにしたがって、対応する第１のシーケンスを端末デバイスが決定する段階は、シンボルｌにおいて保持される第２のビットシーケンスのビット数が１である場合、第２のビットシーケンスが０のとき、第１のシーケンスは、｛１，１，１，１，１，１，１，１，１，１，１，１｝であり、もしくは第２のビットシーケンスが１のとき、第１のシーケンスは、｛１，−１，１，−１，１，−１，１，−１，１，−１，１，−１｝であること、または、シンボルｌにおいて保持される第２のビットシーケンスのビット数が２である場合、第２のビットシーケンスが００のとき、第１のシーケンスは、｛１，１，１，１，１，１，１，１，１，１，１，１｝であり、第２のビットシーケンスが０１のとき、第１のシーケンスは、｛１，−ｊ，１，−１，１，−ｊ，１，−１，１，−ｊ，１，−１｝であり、第２のビットシーケンスが１０のとき、第１のシーケンスは、｛１，−１，１，−１，１，−１，１，−１，１，−１，１，−１｝であり、もしくは、第２のビットシーケンスが１１のとき、第１のシーケンスは、｛１，ｊ，−１，−ｊ，１，ｊ，−１，−ｊ，１，ｊ，−１，−ｊ｝であることを含む。
【００１４】
第１態様に関連して、第６の可能な実装例において、情報ビットシーケンスにしたがって第１のシーケンスを端末デバイスが決定する段階は、情報ビットシーケンスのビット数が１である場合、情報ビットシーケンスが０のとき、第１のシーケンスは、｛１，１，１，１，１，１，１，１，１，１，１，１｝であり、もしくは、情報ビットシーケンスが１のとき、第１のシーケンスは、｛１，−１，１，−１，１，−１，１，−１，１，−１，１，−１｝であること、または、情報ビットシーケンスのビット数が２である場合、情報ビットシーケンスが００のとき、第１のシーケンスは、｛１，１，１，１，１，１，１，１，１，１，１，１｝であり、情報ビットシーケンスが０１のとき、第１のシーケンスは、｛１，−ｊ，１，−１，１，−ｊ，１，−１，１，−ｊ，１，−１｝であり、情報ビットシーケンスが１０のとき、第１のシーケンスは、｛１，−１，１，−１，１，−１，１，−１，１，−１，１，−１｝であり、もしくは、情報ビットシーケンスが１１のとき、第１のシーケンスは、｛１，ｊ，−１，−ｊ，１，ｊ，−１，−ｊ，１，ｊ，−１，−ｊ｝であることを有する。
【００１５】
第１態様から第６の可能な実装例のうちのいずれか１つに関連して、第７の可能な実装例において、第２のシーケンスは、ザドフ・チューシーケンス、または巡回拡張または切り捨てによってザドフ・チューシーケンスから取得されるシーケンスである。
【００１６】
第１態様から第７の可能な実装例のうちのいずれか１つに関連して、第８の可能な実装例において、アップリンク制御チャネルのシンボル数Ｎは、１つのサブフレームに含まれるシンボルの数より少ない。
【００１７】
本発明の第２態様によると、アップリンク制御情報伝送方法が提供される。当該方法は、アップリンク制御チャネルを使用することによって端末デバイスによって送信されるアップリンク制御情報を基地局が受信する段階であって、アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである、段階と、アップリンク制御情報の情報ビット数と第２のシーケンスとにしたがって第１のシーケンスを基地局が決定する段階であって、第１のシーケンスは線形位相の複素指数シーケンスである、段階と、第１のシーケンスにしたがってアップリンク制御情報の情報ビットシーケンスを基地局が決定する段階とを備える。
【００１８】
第２態様に関連して、第２の可能な実装例において、第１のシーケンスにしたがってアップリンク制御情報の情報ビットシーケンスを基地局が決定する段階は、シンボルｌにおいて保持される第２のビットシーケンスのビット数をアップリンク制御情報の情報ビット数にしたがって基地局が決定する段階と、シンボルｌにおいて保持される第２のビットシーケンスを、第１のシーケンスとシンボルｌにおいて保持される第２のビットシーケンスのビット数とにしたがって基地局が決定する段階と、シンボルｌにおいて保持される第２のビットシーケンスにしたがってアップリンク制御情報の情報ビットシーケンスを基地局が決定する段階とを有し、シンボルｌにおいて保持される第２のビットシーケンスを、第１のシーケンスとシンボルｌにおいて保持される第２のビットシーケンスのビット数とにしたがって基地局が決定する段階は、シンボルｌにおいて保持される第２のビットシーケンスのビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、シンボルｌにおいて保持される第２のビットシーケンスのビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが｛１，−１，１，−１，１，−１，１，−１，１，−１，１，−１｝のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含む、段階と有する。
【００１９】
第２態様に関連して、第３の可能な実装例において、第１のシーケンスにしたがってアップリンク制御情報の情報ビットシーケンスを基地局が決定する段階は、第１のシーケンスとアップリンク制御情報のビット数とにしたがってアップリンク制御情報の情報ビットシーケンスを基地局が決定する段階を有し、当該決定する段階は、アップリンク制御情報のビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、アップリンク制御情報のビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが｛１，−１，１，−１，１，−１，１，−１，１，−１，１，−１｝のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含む。
【００２０】
第２態様から第３の可能な実装例のうちのいずれか１つに関連して、第４の可能な実装例において、第２のシーケンスは、ザドフ・チューシーケンス、または巡回拡張または切り捨てによってザドフ・チューシーケンスから取得されるシーケンスである。
【００２１】
第２態様から第４の可能な実装例のうちのいずれか１つに関連して、第５の可能な実装例において、アップリンク制御チャネルのシンボル数Ｎは、１つのサブフレームに含まれるシンボルの数より少ない。
【００２２】
本発明の第３態様によると、アップリンク制御情報伝送方法が提供される。当該方法は、伝送対象のアップリンク制御情報の情報ビットシーケンスを端末デバイスが決定する段階と、アップリンク制御チャネルのシンボルｌにおいて保持される第２のビットシーケンスを情報ビットシーケンスにしたがって端末デバイスが決定する段階であって、アップリンク制御チャネルはＮ個のシンボルを占有し、Ｎは正の整数であり、ｌは整数であり、ｌ＝０，１，・・・，Ｎ−１である、段階と、シンボルｌに対応する第３のシーケンスの巡回シフトを第２のビットシーケンスのステータス値にしたがって端末デバイスが決定し、シンボルｌに対応する第３のシーケンスを巡回シフトにしたがって決定する段階と、シンボルｌに対応する第３のシーケンスをアップリンク制御チャネルのシンボルｌに端末デバイスがマッピングし、第３のシーケンスを基地局に送信する段階とを備える。
【００２３】
第３態様に関連して、第１の可能な実装例において、アップリンク制御チャネルのシンボルｌにおいて保持される第２のビットシーケンスを情報ビットシーケンスにしたがって端末デバイスが決定する段階は、情報ビットシーケンスとアップリンク制御チャネルによって占有されるシンボルの数Ｎとにしたがって第１のビットシーケンスを端末デバイスが決定する段階であって、第１のビットシーケンスのビット数はＮまたは２Ｎである、段階と、アップリンク制御チャネルのシンボルｌにおいて保持される第２のビットシーケンスを第１のビットシーケンスにしたがって端末デバイスが決定する段階であって、シンボルｌにおいて保持される第２のビットシーケンスは、第１のビットシーケンスのうちの、シンボルｌにおいて保持される部分である、段階とを有する。
【００２４】
第３態様の第１の可能な実装例に関連して、第２の可能な実装例において、情報ビットシーケンスのビット数は１であり、端末デバイスは、第１のビットシーケンスのビット数がＮであると決定し、第１のビットシーケンスが、情報ビットシーケンスをＮ回循環して繰り返すことによって取得されると決定する。
【００２５】
第３態様の第１の可能な実装例に関連して、第３の可能な実装例において、情報ビットシーケンスのビット数は２であり、端末デバイスは、第１のビットシーケンスのビット数が２Ｎであると決定し、第１のビットシーケンスが、情報ビットシーケンスをＮ回循環して繰り返すことによって取得されると決定する。
【００２６】
第３態様の第１の可能な実装例に関連して、第４の可能な実装例において、情報ビットシーケンスのビット数は、３より多いかまたはそれに等しく、かつ２Ｎより少ないかまたはそれに等しく、端末デバイスは、第１のビットシーケンスのビット数が２Ｎであると決定し、第１のビットシーケンスが、リード・ミュラー符号化によって情報ビットシーケンスから取得されると決定する。
【００２７】
第３態様から第４の可能な実装例のうちのいずれか１つに関連して、第５の可能な実装例において、第２のビットシーケンスのステータス値は、第３のシーケンスの巡回シフトに対応しており、第２のビットシーケンスのステータス値は、Ｍ個のステータス値のうちの１つであり、Ｍ個のステータス値は、Ｍ個の巡回シフトと一対一の対応関係にあり、Ｍは２のＭ１乗であり、Ｍ１は、第２のビットシーケンスのビット数であり、ＭおよびＭ１は共に正の整数である。
【００２８】
第３態様の第５の可能な実装例に関連して、第６の可能な実装例において、Ｍ個のステータス値のうちの任意の２つのものに対応する巡回シフトの間隔は、２より大きいかまたはそれに等しい。
【００２９】
第３態様から第６の可能な実装例のうちのいずれか１つに関連して、第７の可能な実装例において、第３のシーケンスは、ザドフ・チューシーケンス、または巡回拡張または切り捨てによってザドフ・チューシーケンスから取得されるシーケンスである。
【００３０】
第３態様から第７の可能な実装例のうちのいずれか１つに関連して、第８の可能な実装例において、アップリンク制御チャネルのシンボル数Ｎは、１つのサブフレーム含まれるシンボルの数より少ない。
【００３１】
本発明の第４態様によると、アップリンク制御情報伝送方法が提供される。当該方法は、アップリンク制御チャネルを使用することによって端末デバイスによって送信されるアップリンク制御情報を基地局が受信する段階であって、アップリンク制御チャネルはＮ個のシンボルを占有し、Ｎは正の整数であり、Ｎ個のシンボルのうちのシンボルｌにおいて保持される信号は、第３のシーケンスに対応しており、第３のシーケンスは巡回シフトシーケンスであり、ｌは整数であり、ｌ＝０，１，・・・，Ｎ−１である、段階と、シンボルｌにおいて保持される信号に対応する第３のシーケンスをアップリンク制御情報の情報ビット数にしたがって基地局が決定する段階と、シンボルｌにおいて保持される信号に対応する第３のシーケンスにしたがってアップリンク制御情報の情報ビットシーケンスを基地局が決定する段階とを備える。
【００３２】
第４態様に関連して、第１の可能な実装例において、シンボルｌにおいて保持される信号に対応する第３のシーケンスにしたがってアップリンク制御情報の情報ビットシーケンスを基地局が決定する段階はさらに、シンボルｌにおいて保持される第２のビットシーケンスを、シンボルｌにおいて保持される信号に対応する第３のシーケンスにしたがって基地局が決定する段階と、シンボルｌにおいて保持される第２のビットシーケンスにしたがってアップリンク制御情報の情報ビットシーケンスを決定する段階とを有する。
【００３３】
第４態様の第１の可能な実装例に関連して、第２の可能な実装例において、シンボルｌにおいて保持される第２のビットシーケンスを、シンボルｌにおいて保持される信号に対応する第３のシーケンスにしたがって基地局が決定する段階は、シンボルｌにおいて保持される第２のビットシーケンスを、シンボルｌにおいて保持される信号に対応する第３のシーケンスの巡回シフトにしたがって基地局が決定する段階であって、第３のシーケンスの巡回シフトは、第２のビットシーケンスのステータス値に対応しており、第３のシーケンスの巡回シフトは、Ｍ個の巡回シフトのうちの１つであり、Ｍ個の巡回シフトは、Ｍ個のステータス値と一対一の対応関係にあり、Ｍは、２のＭ１乗であり、Ｍ１は、第２のビットシーケンスのビット数であり、ＭおよびＭ１は共に正の整数である、段階とを含む。
【００３４】
第４態様の第２の可能な実装例に関連して、第３の可能な実装例において、Ｍ個のステータス値のうちの任意の２つのものに対応する巡回シフトの間隔は、２より大きいかまたはそれに等しい。
【００３５】
第４態様から第３の可能な実装例のうちのいずれか１つに関連して、第４の可能な実装例において、第３のシーケンスは、ザドフ・チューシーケンス、または巡回拡張または切り捨てによってザドフ・チューシーケンスから取得されるシーケンスである。
【００３６】
第４態様から第４の可能な実装例のうちのいずれか１つに関連して、第５の可能な実装例において、アップリンク制御チャネルのシンボル数Ｎは、１つのサブフレームに含まれるシンボルの数より少ない。
【００３７】
本発明の第５態様によると、端末デバイスが提供される。当該端末デバイスは、伝送対象のアップリンク制御情報の情報ビットシーケンスを決定するよう構成される処理ユニットであって、処理ユニットはさらに、情報ビットシーケンスにしたがって第１のシーケンスを決定するよう構成され、第１のシーケンスは、線形位相の複素指数シーケンスである、処理ユニットと、アップリンク制御チャネルを使用することによって、伝送対象のアップリンク制御情報を基地局に送信するよう構成される送信ユニットであって、アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである、送信ユニットとを備える。
【００３８】
第５態様に関連して、第１の可能な実装例において、処理ユニットが情報ビットシーケンスにしたがって第１のシーケンスを決定することは、情報ビットシーケンスとアップリンク制御チャネルのシンボル数Ｎとにしたがって第１のビットシーケンスを処理ユニットが決定することであって、第１のビットシーケンスのビット数はＮまたは２Ｎである、ことと、シンボルｌにおいて保持される第２のビットシーケンスを第１のビットシーケンスにしたがって処理ユニットが決定することであって、第２のビットシーケンスは、第１のビットシーケンスのうちの、シンボルｌにおいて保持される部分である、ことと、シンボルｌにおいて保持される第２のビットシーケンスにしたがって、対応する第１のシーケンスを処理ユニットが決定することとを有する。
【００３９】
第５態様の第１の可能な実装例に関連して、第２の可能な実装例において、情報ビットシーケンスのビット数は１であり、処理ユニットは、第１のビットシーケンスのビット数がＮであると決定し、第１のビットシーケンスが、情報ビットシーケンスをＮ回循環して繰り返すことによって取得されると決定する。
【００４０】
第５態様の第１の可能な実装例に関連して、第３の可能な実装例において、情報ビットシーケンスのビット数は２であり、処理ユニットは、第１のビットシーケンスのビット数が２Ｎであると決定し、第１のビットシーケンスが、情報ビットシーケンスをＮ回循環して繰り返すことによって取得されると決定する。
【００４１】
第５態様の第１の可能な実装例に関連して、第４の可能な実装例において、情報ビットシーケンスのビット数は、３より多いかまたはそれに等しく、かつ２Ｎより少ないかまたはそれに等しく、処理ユニットは、第１のビットシーケンスのビット数が２Ｎであると決定し、第１のビットシーケンスが、リード・ミュラー符号化によって情報ビットシーケンスから取得されると決定する。
【００４２】
第５態様の第１の可能な実装例から第４の可能な実装例のうちのいずれか１つに関連して、第５の可能な実装例において、処理ユニットが、シンボルｌにおいて保持される第２のビットシーケンスにしたがって、対応する第１のシーケンスを決定することは、シンボルｌにおいて保持される第２のビットシーケンスのビット数が１である場合、第２のビットシーケンスが０のとき、第１のシーケンスは、｛１，１，１，１，１，１，１，１，１，１，１，１｝であり、もしくは、第２のビットシーケンスが１のとき、第１のシーケンスは、｛１，−１，１，−１，１，−１，１，−１，１，−１，１，−１｝であること、または、シンボルｌにおいて保持される第２のビットシーケンスのビット数が２である場合、第２のビットシーケンスが００のとき、第１のシーケンスは、｛１，１，１，１，１，１，１，１，１，１，１，１｝であり、第２のビットシーケンスが０１のとき、第１のシーケンスは、｛１，−ｊ，１，−１，１，−ｊ，１，−１，１，−ｊ，１，−１｝であり、第２のビットシーケンスが１０のとき、第１のシーケンスは、｛１，−１，１，−１，１，−１，１，−１，１，−１，１，−１｝であり、もしくは、第２のビットシーケンスが１１のとき、第１のシーケンスは、｛１，ｊ，−１，−ｊ，１，ｊ，−１，−ｊ，１，ｊ，−１，−ｊ｝であることを含む。
【００４３】
第５態様に関連して、第６の可能な実装例において、処理ユニットが情報ビットシーケンスにしたがって第１のシーケンスを決定することは、情報ビットシーケンスのビット数が１である場合、情報ビットシーケンスが０のとき、第１のシーケンスは、｛１，１，１，１，１，１，１，１，１，１，１，１｝であり、もしくは、情報ビットシーケンスが１のとき、第１のシーケンスは、｛１，−１，１，−１，１，−１，１，−１，１，−１，１，−１｝であること、または、情報ビットシーケンスのビット数が２である場合、情報ビットシーケンスが００のとき、第１のシーケンスは｛１，１，１，１，１，１，１，１，１，１，１，１｝であり、情報ビットシーケンスが０１のとき、第１のシーケンスは、｛１，−ｊ，１，−１，１，−ｊ，１，−１，１，−ｊ，１，−１｝であり、情報ビットシーケンスが１０のとき、第１のシーケンスは、｛１，−１，１，−１，１，−１，１，−１，１，−１，１，−１｝であり、もしくは、情報ビットシーケンスが１１のとき、第１のシーケンスは、｛１，ｊ，−１，−ｊ，１，ｊ，−１，−ｊ，１，ｊ，−１，−ｊ｝であることを有する。
【００４４】
第５態様から第６の可能な実装例のうちのいずれか１つに関連して、第７の可能な実装例において、第２のシーケンスはザドフ・チューシーケンス、または、巡回拡張または切り捨てによってザドフ・チューシーケンスから取得されたシーケンスである。
【００４５】
第５態様から第７の可能な実装例のうちのいずれか１つに関連して、第８の可能な実装例において、アップリンク制御チャネルのシンボル数Ｎは、１つのサブフレームに含まれるシンボルの数より少ない。
【００４６】
本発明の第６態様によると、基地局が提供される。当該基地局は、アップリンク制御チャネルを使用することによって端末デバイスによって送信されるアップリンク制御情報を受信するよう構成される受信ユニットであって、アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである、受信ユニットと、アップリンク制御情報の情報ビット数と第２のシーケンスとにしたがって第１のシーケンスを決定するよう構成される処理ユニットであって、第１のシーケンスは線形位相の複素指数シーケンスである処理ユニットとを備え、処理ユニットはさらに、第１のシーケンスにしたがってアップリンク制御情報の情報ビットシーケンスを決定するよう構成される。
【００４７】
第６態様に関連して、第２の可能な実装例において、処理ユニットが第１のシーケンスにしたがってアップリンク制御情報の情報ビットシーケンスを決定することは、シンボルｌにおいて保持される第２のビットシーケンスのビット数をアップリンク制御情報の情報ビット数にしたがって処理ユニットが決定することと、シンボルｌにおいて保持される第２のビットシーケンスを、第１のシーケンスとシンボルｌにおいて保持される第２のビットシーケンスのビット数とにしたがって処理ユニットが決定することと、シンボルｌにおいて保持される第２のビットシーケンスにしたがってアップリンク制御情報の情報ビットシーケンスを処理ユニットが決定することとを有し、シンボルｌにおいて保持される第２のビットシーケンスを、第１のシーケンスとシンボルｌにおいて保持される第２のビットシーケンスのビット数とにしたがって処理ユニットが決定することは、シンボルｌにおいて保持される第２のビットシーケンスのビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、シンボルｌにおいて保持される第２のビットシーケンスのビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが｛１，−１，１，−１，１，−１，１，−１，１，−１，１，−１｝のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含む。
【００４８】
第６態様に関連して、第３の可能な実装例において、処理ユニットが第１のシーケンスにしたがってアップリンク制御情報の情報ビットシーケンスを決定することは、第１のシーケンスとアップリンク制御情報のビット数とにしたがって、アップリンク制御情報の情報ビットシーケンスを処理ユニットが決定することを有し、当該決定することは、アップリンク制御情報のビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、アップリンク制御情報のビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが｛１，−１，１，−１，１，−１，１，−１，１，−１，１，−１｝のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含む。
【００４９】
第６態様から第３の可能な実装例のうちのいずれか１つに関連して、第４の可能な実装例において、第２のシーケンスは、ザドフ・チューシーケンス、または巡回拡張または切り捨てによってザドフ・チューシーケンスから取得されるシーケンスである。
【００５０】
第６態様から第４の可能な実装例のうちのいずれか１つに関連して、第６の可能な実装例において、アップリンク制御チャネルのシンボル数Ｎは、１つのサブフレームに含まれるシンボルの数より少ない。
【００５１】
本発明の第７態様によると、端末デバイスが提供される。当該端末デバイスは、伝送対象のアップリンク制御情報の情報ビットシーケンスを決定するよう構成される処理ユニットであって、当該処理ユニットはさらに、アップリンク制御チャネルのシンボルｌにおいて保持される第２のビットシーケンスを情報ビットシーケンスにしたがって決定するよう構成され、アップリンク制御チャネルはＮ個のシンボルを占有し、Ｎは正の整数であり、ｌは整数であり、ｌ＝０，１，・・・，Ｎ−１であり、当該処理ユニットはさらに、シンボルｌに対応する第３のシーケンスの巡回シフトを第２のビットシーケンスのステータス値にしたがって決定し、シンボルｌに対応する第３のシーケンスを巡回シフトにしたがって決定するよう構成される、処理ユニットと、シンボルｌに対応する第３のシーケンスをアップリンク制御チャネルのシンボルｌにマッピングし、第３のシーケンスを基地局に送信するよう構成される送信ユニットとを備える。
【００５２】
第７態様に関連して、第１の可能な実装例において、処理ユニットがアップリンク制御チャネルのシンボルｌにおいて保持される第２のビットシーケンスを情報ビットシーケンスにしたがって決定することは、情報ビットシーケンスとアップリンク制御チャネルによって占有されるシンボルの数Ｎとにしたがって第１のビットシーケンスを処理ユニットが決定することであって、第１のビットシーケンスのビット数はＮまたは２Ｎである、ことと、アップリンク制御チャネルのシンボルｌにおいて保持される第２のビットシーケンスを第１のビットシーケンスにしたがって処理ユニットが決定することであって、シンボルｌにおいて保持される第２のビットシーケンスは、第１のビットシーケンスのうちの、シンボルｌにおいて保持される部分である、こととを有する。
【００５３】
第７態様の第１の可能な実装例に関連して、第２の可能な実装例において、情報ビットシーケンスのビット数は１であり、処理ユニットは、第１のビットシーケンスのビット数がＮであると決定し、第１のビットシーケンスが、情報ビットシーケンスをＮ回循環して繰り返すことによって取得されると決定する。
【００５４】
第７態様の第１の可能な実装例に関連して、第３の可能な実装例において、情報ビットシーケンスのビット数は２であり、処理ユニットは、第１のビットシーケンスのビット数が２Ｎであると決定し、第１のビットシーケンスが、情報ビットシーケンスをＮ回循環して繰り返すことによって取得されると決定する。
【００５５】
第７態様の第１の可能な実装例に関連して、第４の可能な実装例において、情報ビットシーケンスのビット数は、３より多いかまたはそれに等しく、かつ２Ｎより少ないかまたはそれに等しく、処理ユニットは、第１のビットシーケンスのビット数が２Ｎであると決定し、第１のビットシーケンスが、リード・ミュラー符号化によって情報ビットシーケンスから取得されると決定する。
【００５６】
第７態様から第４の可能な実装例のうちのいずれか１つに関連して、第５の可能な実装例において、第２のビットシーケンスのステータス値は、第３のシーケンスの複数の巡回シフトと一対一の対応関係にあり、第２のビットシーケンスのステータス値は、Ｍ個のステータス値のうちの１つであり、Ｍ個のステータス値は、Ｍ個の巡回シフトと一対一の対応関係にあり、Ｍは、２のＭ１乗であり、Ｍ１は、第２のビットシーケンスのビット数であり、ＭおよびＭ１は共に正の整数である。
【００５７】
第７態様の第５の可能な実装例に関連して、第６の可能な実装例において、Ｍ個のステータス値のうちの任意の２つのものに対応する巡回シフトの間隔は、２より大きいかまたはそれに等しい。
【００５８】
第７態様から第６の可能な実装例のうちのいずれか１つに関連して、第７の可能な実装例において、第３のシーケンスは、ザドフ・チューシーケンス、または、巡回拡張または切り捨てによってザドフ・チューシーケンスから取得されるシーケンスである。
【００５９】
第７態様から第７の可能な実装例のうちのいずれか１つに関連して、第８の可能な実装例において、アップリンク制御チャネルのシンボル数Ｎは、１つのサブフレームに含まれるシンボルの数より少ない。
【００６０】
本発明の第８態様にしたがって、基地局が提供される、当該基地局は、アップリンク制御チャネルを使用することによって端末デバイスによって送信されるアップリンク制御情報を受信するよう構成される受信ユニットであって、アップリンク制御チャネルはＮ個のシンボルを占有し、Ｎは正の整数であり、Ｎ個のシンボルのうちのシンボルｌにおいて保持される信号は、第３のシーケンスに対応しており、第３のシーケンスは巡回シフトシーケンスであり、ｌは整数であり、ｌ＝０，１，・・・，Ｎ−１である、受信ユニットと、シンボルｌにおいて保持される信号に対応する第３のシーケンスをアップリンク制御情報の情報ビット数にしたがって決定するよう構成される処理ユニットであって、さらに、シンボルｌにおいて保持される信号に対応する第３のシーケンスにしたがってアップリンク制御情報の情報ビットシーケンスを決定するよう構成される処理ユニットとを備える。
【００６１】
第８態様に関連して、第１の可能な実装例において、基地局が、シンボルｌにおいて保持される信号に対応する第３のシーケンスにしたがってアップリンク制御情報の情報ビットシーケンスを決定することは、さらに、シンボルｌにおいて保持される第２のビットシーケンスを、シンボルｌにおいて保持される信号に対応する第３のシーケンスにしたがって処理ユニットが決定することと、シンボルｌにおいて保持される第２のビットシーケンスにしたがってアップリンク制御情報の情報ビットシーケンスを決定することとを有する。
【００６２】
第８態様の第１の可能な実装例に関連して、第２の可能な実装例において、シンボルｌにおいて保持される第２のビットシーケンスを、シンボルｌにおいて保持される信号に対応する第３のシーケンスにしたがって処理ユニットが決定することは、シンボルｌにおいて保持される第２のビットシーケンスを、シンボルｌにおいて保持される信号に対応する第３のシーケンスの巡回シフトにしたがって処理ユニットが決定することを含み、ここで、第３のシーケンスの巡回シフトは、第２のビットシーケンスのステータス値に対応し、第３のシーケンスの巡回シフトは、Ｍ個の巡回シフトのうちの１つであり、Ｍ個の巡回シフトは、Ｍ個のステータス値と一対一の対応関係にあり、Ｍは２のＭ１乗であり、Ｍ１は、第２のビットシーケンスのビット数であり、ＭおよびＭ１は共に正の整数である。
【００６３】
第８態様の第２の可能な実装例に関連して、第３の可能な実装例において、Ｍ個のステータス値のうちの任意の２つのものに対応する巡回シフトの間隔は、２より大きいかまたはそれに等しい。
【００６４】
第８態様から第３の可能な実装例のうちのいずれか１つに関連して、第４の可能な実装例において、第３のシーケンスは、ザドフ・チューシーケンス、または、巡回拡張または切り捨てによってザドフ・チューシーケンスから取得されるシーケンスである。
【００６５】
第８態様から第４の可能な実装例のうちのいずれか１つに関連して、第５の可能な実装例において、アップリンク制御チャネルのシンボル数Ｎは、１つのサブフレームに含まれるシンボルの数より少ない。
【００６６】
本発明の第９態様にしたがって、システムが提供される。当該システムは、伝送対象のアップリンク制御情報の情報ビットシーケンスを決定し、情報ビットシーケンスにしたがって第１のシーケンスを決定するよう構成される端末デバイスであって、第１のシーケンスは線形位相の複素指数シーケンスであり、端末デバイスはさらに、アップリンク制御チャネルを使用することによって、伝送対象のアップリンク制御情報を基地局に送信するよう構成され、アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである、端末デバイスと、アップリンク制御チャネルを使用することによって端末デバイスによって送信されるアップリンク制御情報を受信するよう構成される基地局であって、さらに、アップリンク制御情報の情報ビット数と第２のシーケンスとにしたがって第１のシーケンスを決定し、第１のシーケンスにしたがって情報ビットシーケンスを決定するよう構成される基地局とを備える。
【００６７】
本発明の第１０態様にしたがって、システムが提供される。当該システムは、伝送対象のアップリンク制御情報の情報ビットシーケンスを決定し、アップリンク制御チャネルのシンボルｌにおいて保持される第２のビットシーケンスを情報ビットシーケンスにしたがって決定するよう構成される端末デバイスであって、アップリンク制御チャネルはＮ個のシンボルを占有し、Ｎは正の整数であり、ｌは整数であり、ｌ＝０，１，・・・，Ｎ−１であり、端末デバイスはさらに、シンボルｌに対応する第３のシーケンスの巡回シフトを第２のビットシーケンスのステータス値にしたがって決定し、シンボルｌに対応する第３のシーケンスを巡回シフトにしたがって決定するよう構成され、端末デバイスはさらに、シンボルｌに対応する第３のシーケンスをアップリンク制御チャネルのシンボルｌにマッピングし、第３のシーケンスを基地局に送信するよう構成される、端末デバイスと、アップリンク制御チャネルを使用することによって端末デバイスによって送信されるアップリンク制御情報を受信するよう構成される基地局であって、さらに、シンボルｌにおいて保持される信号に対応する第３のシーケンスをアップリンク制御情報の情報ビット数にしたがって決定し、シンボルｌにおいて保持される信号に対応する第３のシーケンスにしたがって情報ビットシーケンスを決定するよう構成される基地局とを備える。
【００６８】
本発明の実施形態において、新しいアップリンク制御チャネルが定義され、これにより、既存のＰＵＣＣＨが、１サブフレーム未満で行われるアップリンク制御情報伝送をサポートできないという技術的課題を解消する。これにより、フレキシブルなアップリンク制御情報伝送が実装され、伝送性能が向上する。
【図面の簡単な説明】
【００６９】
本発明の実施形態における技術的解決手段をより明確に説明すべく、実施形態または従来技術を説明するために必要な添付の図面を以下で簡潔に説明する。以下の説明における添付の図面は、本発明のいくつかの実施形態を示しているに過ぎず、当業者であれば、創造的な努力なく、これらの添付の図面から他の図面をさらに導き出し得ることは明らかである。
【００７０】
【図１】新しいサブフレームタイプの概略図である。
【００７１】
【図２】本発明の一実施形態に係るアップリンク制御情報伝送方法の概略フローチャートである。
【００７２】
【図３】本発明の一実施形態に係るアップリンク制御情報伝送方法の概略フローチャートである。
【００７３】
【図４】本発明の一実施形態に係るアップリンク制御情報伝送方法の概略フローチャートである。
【００７４】
【図５】本発明の一実施形態に係るアップリンク制御情報伝送方法の概略フローチャートである。
【００７５】
【図６】本発明の一実施形態に係るアップリンク制御情報伝送方法の概略フローチャートである。
【００７６】
【図７】本発明の一実施形態に係るアップリンク制御情報伝送方法の概略フローチャートである。
【００７７】
【図８】本発明の一実施形態に係る端末デバイスの概略構造図である。
【００７８】
【図９】本発明の一実施形態に係る基地局の概略構造図である。
【００７９】
【図１０】本発明の一実施形態に係る端末デバイスの概略構造図である。
【００８０】
【図１１】本発明の一実施形態に係る基地局の概略構造図である。
【００８１】
【図１２】本発明の一実施形態に係る端末デバイスの概略構造図である。
【００８２】
【図１３】本発明の一実施形態に係る基地局の概略構造図である。
【００８３】
【図１４】本発明の一実施形態に係る通信システムの概略図である。
【００８４】
【図１５】本発明の一実施形態に係る通信システムの概略図である。
【００８５】
【図１６】本発明の一実施形態に係るアップリンク制御情報伝送方法の概略フローチャートである。
【００８６】
【図１７】本発明の一実施形態に係るアップリンク制御情報伝送方法の概略フローチャートである。
【００８７】
【図１８】本発明の一実施形態に係る端末デバイスの概略構造図である。
【００８８】
【図１９】本発明の一実施形態に係る基地局の概略構造図である。
【発明を実施するための形態】
【００８９】
本発明の実施形態における添付の図面に関連して、本発明の実施形態における技術的解決手段を以下で明確かつ十分に説明する。説明される実施形態が、本発明の実施形態の全てではなく一部であることは明らかである。創造的な努力なく本発明の実施形態に基づいて当業者によって得られた他の全ての実施形態は、本発明の保護範囲に当然に含まれる。
【００９０】
本発明の技術的解決手段は、ＧＳＭ（登録商標）システム、符号分割多重アクセス（ＣＤＭＡ、Ｃｏｄｅ  Ｄｉｖｉｓｉｏｎ  Ｍｕｌｔｉｐｌｅ  Ａｃｃｅｓｓ）システム、ワイドバンド符号分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、およびロングタームエボリューション（ＬＴＥ、Ｌｏｎｇ  Ｔｅｒｍ  Ｅｖｏｌｕｔｉｏｎ）システムなどのさまざまな通信システムに適用されてよい。
【００９１】
ユーザ機器（Ｕｓｅｒ  Ｅｑｕｉｐｍｅｎｔ）、モバイル端末（Ｍｏｂｉｌｅ  Ｔｅｒｍｉｎａｌ）、モバイル端末デバイス、または同様のものとも称される端末デバイス（Ｔｅｒｍｉｎａｌ  Ｄｅｖｉｃｅ）は、無線アクセスネットワーク（ＲＡＮ、Ｒａｄｉｏ  Ａｃｃｅｓｓ  Ｎｅｔｗｏｒｋ）を使用することによって１または複数のコアネットワークと通信してよい。端末デバイスは、携帯電話（または「セルラ」電話と称される）、およびモバイル端末を有するコンピュータなどのモバイル端末であってよい。例えば、端末デバイスは、無線アクセスネットワークと音声および／またはデータを交換する、ポータブルの、ポケットサイズの、ハンドヘルドの、コンピュータ内蔵型の、または車載のモバイル装置であってよい。
【００９２】
基地局は、ＧＳＭ（登録商標）またはＣＤＭＡにおける基地局（ＢＴＳ、Ｂａｓｅ  Ｔｒａｎｓｃｅｉｖｅｒ  Ｓｔａｔｉｏｎ）であってよく、ＷＣＤＭＡ（登録商標）における基地局（ＮｏｄｅＢ）であってよく、または、ＬＴＥにおける発展型ノードＢ（ｅＮＢまたはｅ−ＮｏｄｅＢ、ｅｖｏｌｕｔｉｏｎａｌ  Ｎｏｄｅ  Ｂ）であってよい。このことは、本発明において限定されない。
【００９３】
図２は、本発明の一実施形態に係るアップリンク制御情報伝送方法の概略フローチャートである。図２の方法は、端末デバイスによって実行されてよい。
【００９４】
段階１１０：端末デバイスが、伝送対象のアップリンク制御情報の情報ビットシーケンスを決定する。
【００９５】
本段階では、端末デバイスは、伝送対象のアップリンク制御情報を決定する。例えば、アップリンク制御情報は、ハイブリッド自動再送要求確認応答ＨＡＲＱ−ＡＣＫ、チャネル状態情報ＣＳＩ、スケジューリング要求ＳＲ（Ｓｃｈｅｄｕｌｉｎｇ  Ｒｅｑｕｅｓｔ）、または同様のものであってよい。
【００９６】
本段階では、端末デバイスが、伝送対象のアップリンク制御情報を決定することは、次の段階を有してよい。
【００９７】
段階１１０−１：端末デバイスが、伝送対象のアップリンク制御情報の情報ビット数を決定する。
【００９８】
段階１１０−１では、端末デバイスは、端末デバイスによって設定されるキャリア数、および各キャリアの伝送モードなどの因子にしたがって、伝送対象のアップリンク制御情報の情報ビット数を決定してよい。任意選択で、情報ビット数は、キャリア数と、各キャリアによってサポートされるコードワード数との積に等しくてよい。
【００９９】
例えば、端末デバイスが１つのキャリアを設定し、キャリアに対応する伝送モードが、シングルコードワード伝送のみをサポートする場合、伝送対象のアップリンク制御情報の決定された情報ビット数は１である。別の例では、端末デバイスが２つのキャリアを設定し、各々キャリアに対応する伝送モードがシングルコードワード伝送のみをサポートする場合、伝送対象のアップリンク制御情報の決定された情報ビット数は２である。別の例では、端末デバイスが１つのキャリアを設定し、当該キャリアに対応する伝送モードがデュアルコードワード伝送をサポートする場合、伝送対象のアップリンク制御情報の決定された情報ビット数は１になる、などとなる。
【０１００】
段階１１０−２：端末デバイスが、伝送対象のアップリンク制御情報に対応する情報ビットシーケンスを情報ビット数にしたがって決定する。任意選択で、本発明の本実施形態のアップリンク制御チャネルは、物理アップリンク制御チャネルＰＵＣＣＨまたは別のアップリンク制御チャネルであってよい。
【０１０１】
段階１１０−２では、端末デバイスは、伝送対象のアップリンク制御情報に対応する情報ビットシーケンスを決定する。例えば、伝送対象のアップリンク制御情報の情報ビット数が１のとき、端末デバイスは、伝送対象のアップリンク制御情報に対応する情報ビットシーケンスが０なのか１なのかを決定し、または、伝送対象のアップリンク制御情報の情報ビット数が２のとき、端末デバイスは、伝送対象のアップリンク制御情報に対応する情報ビットシーケンスが００なのか０１なのか１０なのか１１なのかを決定する。
【０１０２】
任意選択で、伝送対象のアップリンク制御情報に対応する情報ビットシーケンスは、アップリンク制御情報の内容に関する。例えば、伝送対象のアップリンク制御情報がＨＡＲＱ−ＡＣＫであるとき、端末デバイスは、伝送対象のアップリンク制御情報に対応する情報ビットシーケンスをＨＡＲＱ−ＡＣＫのステータスにしたがって決定してよい。ＨＡＲＱ−ＡＣＫのステータスは、ＡＣＫ、ＮＡＣＫ、および／またはＤＴＸを含んでよい。
【０１０３】
段階１２０：端末デバイスが、段階１１０において決定された情報ビットシーケンスにしたがって第１のシーケンスを決定する。ここで、第１のシーケンスは、線形位相の複素指数シーケンスである。
【０１０４】
任意選択で、端末デバイスは、アップリンク制御チャネルがＮ個のシンボルを占有すると決定する。ここで、Ｎは正の整数である。第１のシーケンスは、Ｎ個のシンボルのうちのシンボルｌにおいて保持される信号に対応している。任意選択で、シンボルｌは、Ｎ個のシンボルのうちのいずれか１つであってよい、すなわち、ｌ＝０，１，・・・，Ｎ−１である。この場合、ｌはシンボル番号であり、シンボル番号は、Ｎ個のシンボルのうちの１つに対応する番号である。シンボル番号は、サブフレームにおけるシンボルｌの番号とは異なっていてよい。あるいは、シンボルｌは、Ｎ個のシンボルのうちの１つであってよい。この場合、端末デバイスは、Ｎ個のシンボルの各々に対応する第１のシーケンスを情報ビットシーケンスにしたがって決定する必要がある。
【０１０５】
任意選択で、本発明の本実施形態において、シンボルにおいて保持される信号は、信号に対応するシーケンスを含んでよい。
【０１０６】
段階１２０は、次の段階を含んでよい。
【０１０７】
段階１２０−１では、端末デバイスは、情報ビットシーケンスとアップリンク制御チャネルのシンボル数Ｎとにしたがって第１のビットシーケンスを決定する。ここで、第１のビットシーケンスのビット数はＮまたは２Ｎである。
【０１０８】
段階１２０−１は次のケースを含んでよい。
【０１０９】
ケース１：伝送対象の情報ビットシーケンスのビット数が１であるとき、端末デバイスは、第１のビットシーケンスのビット数がＮであると決定し、第１のビットシーケンスが、情報ビットシーケンスをＮ回循環して繰り返すことによって取得されると決定する。
【０１１０】
例えば、伝送対象の情報ビットシーケンスは１であり、アップリンク制御チャネルに対応するシンボル数は２であり、第１のビットシーケンスのビット数は、アップリンク制御チャネルに対応するシンボル数、すなわち２に等しい必要がある。ゆえに、第１のビットシーケンスは｛１，１｝である。
【０１１１】
別の例では、伝送対象の情報ビットシーケンスは０であり、アップリンク制御チャネルに対応するシンボル数は３であり、第１のビットシーケンスのビット数は、アップリンク制御チャネルに対応するシンボル数、すなわち３に等しい必要がある。ゆえに、第１のビットシーケンスは｛０，０，０｝である。
【０１１２】
ケース２：伝送対象の情報ビットシーケンスのビット数が２である場合、端末デバイスは、第１のビットシーケンスのビット数が２Ｎであると決定し、第１のビットシーケンスが、情報ビットシーケンスをＮ回循環して繰り返すことによって取得されると決定する。
【０１１３】
例えば、伝送対象の情報ビットシーケンスは｛１，０｝であり、アップリンク制御チャネルに対応するシンボル数は２であり、第１のビットシーケンスのビット数は、アップリンク制御チャネルに対応するシンボル数の２倍、すなわち４である必要がある。ゆえに、第１のビットシーケンスは｛１，０，１，０｝である。
【０１１４】
別の例では、伝送対象の情報ビットシーケンスは｛０，０｝であり、アップリンク制御チャネルに対応するシンボル数は１であり、第１のビットシーケンスのビット数は、アップリンク制御チャネルに対応するシンボル数の２倍、すなわち２である必要がある。ゆえに、第１のビットシーケンスは｛０，０｝である。
【０１１５】
ケース３：伝送対象のアップリンク制御情報の情報ビット数が、３より多いかまたはそれに等しく、かつ２Ｎより少ないかまたはそれに等しいとき、端末デバイスは、第１のビットシーケンスのビット数が２Ｎであると決定し、第１のビットシーケンスが、リード・ミュラー（Ｒｅｅｄ  Ｍｕｌｌｅｒ、ＲＭ）符号化によって情報ビットシーケンスから取得されると決定する。
【０１１６】
例えば、伝送対象の情報ビットシーケンスは３ビットを有し、アップリンク制御チャネルに対応するシンボル数は２であり、第１のビットシーケンスのビット数は、アップリンク制御チャネルに対応するシンボル数の２倍、すなわち４である必要がある。端末デバイスは、ＲＭ符号化によって３ビットの情報ビットシーケンスを４ビットの第１のビットシーケンスに符号化してよい。
【０１１７】
結論として、段階１２０−１を行うことによって、端末デバイスは、情報ビットシーケンスとアップリンク制御チャネルのシンボル数Ｎとにしたがって第１のビットシーケンスを決定する。
【０１１８】
段階１２０−２では、端末デバイスは、シンボルｌにおいて保持される第２のビットシーケンスを第１のビットシーケンスにしたがって決定する。ここで、第２のビットシーケンスは、第１のビットシーケンスのうちの、シンボルｌにおいて保持される部分である。
【０１１９】
上述したように、アップリンク制御チャネルはＮ個のシンボルを占有する。第１のビットシーケンスがＮ個のビットを有するとき、各シンボルは、１ビットを保持するか、または、第１のビットシーケンスが２Ｎビットを有するとき、各シンボルは２ビットを保持する。
【０１２０】
任意選択で、本発明の本実施形態において、シンボルは最大２ビットを保持する。
【０１２１】
アップリンク制御情報伝送中、シンボルが２ビットを保持する場合、アップリンク制御情報性能を向上させるために、シンボル間パワー累算がより良く利用され得る。例えば、Ｎが２である場合、２つの情報ビットの各々が伝送用の２つのシンボルのうちの１つにマッピングされる方式と比較すると、本発明の本実施形態においてはシンボル間パワー累算によって約３ｄＢの利得を得ることができる。
【０１２２】
第１のビットシーケンスのビット数が、アップリンク制御チャネルに対応するシンボル数と同一であるとき、または、第１のビットシーケンスのビット数がＮであるとき、シンボルｌにおいて保持される第２のビットシーケンスは、第１のビットシーケンスの（ｌ＋１）番目のビットである。例えば、第１のビットシーケンスが｛１，１｝であるとき、アップリンク制御チャネルに対応するシンボル数は２であり、シンボル０において保持される第２のビットシーケンスは１であり、シンボル１において保持される第２のビットシーケンスもまた１である。
【０１２３】
第１のビットシーケンスのビット数がアップリンク制御チャネルに対応するシンボル数の２倍であるとき、または、第１のビットシーケンスのビット数が２Ｎであるとき、シンボルｌにおいて保持される第２のビットシーケンスは、第１のビットシーケンスの２ｌ番目のビットおよび（２ｌ＋１）番目のビットを含む。例えば、第１のビットシーケンスが｛１，０，１，０｝のとき、アップリンク制御チャネルに対応するシンボル数は２であり、シンボル０において保持される第２のビットシーケンスは、｛１，０｝であり、シンボル１において保持される第２のビットシーケンスは｛１，０｝である。
【０１２４】
段階１２０−２を行うことによって、端末デバイスは、シンボルｌにおいて保持される第２のビットシーケンスを第１のビットシーケンスにしたがって決定してよい。
【０１２５】
段階１２０−３では、端末デバイスは、シンボルｌにおいて保持される第２のビットシーケンスにしたがって、対応する第１のシーケンスを決定する。
【０１２６】
任意選択で、端末デバイスは、第２のビットシーケンスにしたがって、対応する第１のシーケンスを計算および／または探索によって決定してよい。
【０１２７】
本発明の全ての実施形態において、第１のシーケンスは線形位相の複素指数シーケンスであることに注意すべきである。任意選択で、端末デバイスは、次の方法を使用することによって第２のビットシーケンスにしたがって第１のシーケンスを計算してよい。第１のシーケンスは、ｅ（−ｊ２π／Ｍ）＊ｉ＊ａまたはｅ（＋ｊ２π／Ｍ）＊ｉ＊ａであってよい。ｅは自然底である。ｊは虚数単位である。Ｍは、２のＭ１乗である。ここで、Ｍ１が第２のビットシーケンスのビット数である。例えば、第２のビットシーケンスのビット数が１のとき、Ｍ＝２であり、または、第２のビットシーケンスのビット数が２のとき、Ｍ＝４である。ａ＝０，１，・・・，Ｍ−１である。任意選択で、種々のａの値は、異なるステータス値に対応している。例えば、第２のビットシーケンスのビット数が１である場合、第２のビットシーケンスが０のとき、ａは値０をとり、または、第２のビットシーケンスが１のとき、ａは値１をとる。ｉ＝０，１，・・・，１１である。
【０１２８】
任意選択で、端末デバイスは、次のケースにおいて、次の方法を使用することによって第２のビットシーケンスにしたがって第１のシーケンスを探索してよい。
【０１２９】
ケース１：シンボルｌにおいて保持される第２のビットシーケンスのビット数が１である場合。
【０１３０】
任意選択で、第２のビットシーケンスが０のとき、第１のシーケンスは｛１，１，１，１，１，１，１，１，１，１，１，１｝であり、または、第２のビットシーケンスが１のとき、第１のシーケンスは、｛１，−１，１，−１，１，−１，１，−１，１，−１，１，−１｝である。
【０１３１】
加えて、任意選択で、第２のビットシーケンスが０のとき、第１のシーケンスは、｛１，−１，１，−１，１，−１，１，−１，１，−１，１，−１｝であり、または、第２のビットシーケンスが１のとき、第１のシーケンスは、｛１，１，１，１，１，１，１，１，１，１，１，１｝である。
【０１３２】
ケース２：シンボルｌにおいて保持される第２のビットシーケンスのビット数が２である場合。
【０１３３】
第２のビットシーケンスが００であるとき、第１のシーケンスは、｛１，１，１，１，１，１，１，１，１，１，１，１｝であり、第２のビットシーケンスが０１のとき、第１のシーケンスは、｛１，−ｊ，１，−１，１，−ｊ，１，−１，１，−ｊ，１，−１｝であり、第２のビットシーケンスが１０のとき、第１のシーケンスは、｛１，−１，１，−１，１，−１，１，−１，１，−１，１，−１｝であり、または、第２のビットシーケンスが１１のとき、第１のシーケンスは、｛１，ｊ，−１，−ｊ，１，ｊ，−１，−ｊ，１，ｊ，−１，−ｊ｝である。
【０１３４】
第２のビットシーケンスのビット数が２である場合、第２のビットシーケンスの値と第１のシーケンスとは、上述の対応関係に限定されないことに注意すべきである。すなわち、第２のビットシーケンスの値が第１のシーケンスに対応しているならば、対応関係は異なっていてよい。
【０１３５】
加えて、任意選択で、段階１２０では、端末デバイスが情報ビットシーケンスにしたがって第１のシーケンスを決定することは、対応関係を直接探索することによって実装されてよい。
【０１３６】
例えば、情報ビットシーケンスのビット数が１である場合、情報ビットシーケンスが０のとき、第１のシーケンスは、｛１，１，１，１，１，１，１，１，１，１，１，１｝であり、もしくは、情報ビットシーケンスが１のとき、第１のシーケンスは、｛１，−１，１，−１，１，−１，１，−１，１，−１，１，−１｝であるか、または、情報ビットシーケンスのビット数が２である場合、情報ビットシーケンスが００のとき、第１のシーケンスは、｛１，１，１，１，１，１，１，１，１，１，１，１｝であり、情報ビットシーケンスが０１のとき、第１のシーケンスは、｛１，−ｊ，１，−１，１，−ｊ，１，−１，１，−ｊ，１，−１｝であり、情報ビットシーケンスが１０のとき、第１のシーケンスは、｛１，−１，１，−１，１，−１，１，−１，１，−１，１，−１｝であり、もしくは、情報ビットシーケンスが１１のとき、第１のシーケンスは、｛１，ｊ，−１，−ｊ，１，ｊ，−１，−ｊ，１，ｊ，−１，−ｊ｝である。
【０１３７】
情報ビットシーケンスの値および第１のシーケンスは、上述の対応関係に限定されないことが理解されるべきである。すなわち、情報ビットシーケンスの値が第１のシーケンスに対応しているならば、対応関係は異なっていてよい。
【０１３８】
結論として、段階１２０を行うことによって、端末デバイスは、伝送対象の情報ビットシーケンスにしたがって第１のシーケンスを決定してよい。第１のシーケンスは線形位相の複素指数シーケンスなので、第１のシーケンスにおける特定の要素は、アップリンク制御情報のステータスと共には変化しない。例えば、伝送対象のアップリンク制御情報の情報ビット数が１である場合、第１のシーケンスの偶数ビットの値は、伝送対象のアップリンク制御情報に対応する情報ビットシーケンスと共には変化しない。ゆえに、第１のシーケンスの偶数ビットの値は、基準信号として使用されてよく、基地局は、これらの基準信号にしたがって無線チャネルのチャネル特性を取得できる。これにより、アップリンク制御情報の伝送信頼性が向上する。
【０１３９】
加えて、本発明の本実施形態では、異なる情報ビットシーケンスに対応する第１のシーケンス間の相互直交特性が効果的に使用され、これにより、情報ビット数の増加が性能に与える影響は比較的小さくなる。例えば、１つのシンボルが１ビットの情報を保持するケースと、１つのシンボルが２ビットの情報を保持するケースとを比較した場合、性能損失は１ｄＢ以内である。ゆえに、２つの情報ビットの各々が伝送のために２つのシンボルのうちの１つにマッピングされるケースと比較して、方式１では約２ｄＢの利得を得ることができる。
【０１４０】
段階１３０：端末デバイスが、アップリンク制御チャネルを使用することによって、伝送対象のアップリンク制御情報を基地局に送信する。ここで、アップリンク制御チャネルはＮ個のシンボルを占有し、Ｎは正の整数である。Ｎ個のシンボルのうちのシンボルｌにおいて保持される信号は、第１のシーケンスと第２のシーケンスとの積に正比例し、第２のシーケンスは巡回シフトシーケンスである。
【０１４１】
任意選択で、Ｎ個のシンボルのうちのシンボルｌにおいて保持される信号が第１のシーケンスと第２のシーケンスとの積に正比例することは、Ｎ個のシンボルのうちのシンボルｌにおいて保持される信号に対応するシーケンスが第１のシーケンスと第２のシーケンスとの積に等しくてよい、すなわち、正比例係数は１であるか、または、Ｎ個のシンボルのうちのシンボルｌにおいて保持される信号に対応するシーケンスが第１のシーケンスと第２のシーケンスとの積のｋ倍であってよく、ｋは調整係数であることであってよい。
【０１４２】
任意選択でシンボルｌにおいて保持される信号が第１のシーケンスと第２のシーケンスとの積に正比例することは、シンボルｌにおいて保持される信号に対応するシーケンスにおける任意の要素が、第１のシーケンスおよび第２のシーケンスにおける対応する要素の積に正比例することを意味する。任意選択で、シンボルｌにおいて保持される信号に対応するシーケンスの長さと、第１のシーケンスの長さと、第２のシーケンスの長さとは同一である。
【０１４３】
任意選択で、第２のシーケンスは、ザドフ・チュー（Ｚａｄｏｆｆ−Ｃｈｕ）シーケンス、または、巡回拡張または切り捨てによってザドフ・チューシーケンスから取得されるシーケンスである。アップリンク制御情報を保持する第２のシーケンスを使用することによって、アップリンク制御情報のシングルキャリア特性が維持され得る。
【０１４４】
任意選択で、本発明の全ての実施形態において、シンボルは、シングルキャリア周波数分割多重アクセス（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）シンボルであってよく、または、ＯＦＤＭシンボルなどの時間領域シンボルであってよい。
【０１４５】
任意選択で、アップリンク制御チャネルのシンボル数Ｎは、１つのサブフレームに含まれるシンボルの数より少ない。任意選択で、Ｎは１より大きくてよく、これにより、比較的大量のビット数のアップリンク制御情報が伝送される必要があるシナリオ、または、比較的大きいアップリンク制御チャネルカバレッジが必要とされるシナリオの要件が満たされる。Ｎは、１つのサブフレームのシンボル数より少なくてよく、これにより、アップリンク制御情報は、比較的少数のシンボルにおいて伝送され得る。
【０１４６】
図３は、本発明の一実施形態に係るアップリンク制御チャネルのシンボルｌにおいて保持される信号を生成するための方法の概略フローチャートである。図３は、アップリンク制御チャネルのシンボルｌにおいて保持される信号３１０を、情報ビットシーケンス３０２にしたがって生成するための手順を示している。図３の方法は、端末デバイスによって実行されてよい。
【０１４７】
図３に示すように、端末デバイスは、伝送対象のアップリンク制御情報を決定する。任意選択で、端末デバイスは、アップリンク制御情報の情報ビットシーケンス３０２を決定する。
【０１４８】
次に、端末デバイスは、アップリンク制御チャネルを使用することによって、伝送対象のアップリンク制御情報を送信する。アップリンク制御チャネルはＮ個のシンボルを占有し、Ｎは正の整数である。Ｎ個のシンボルにうちのシンボルｌにおいて保持される信号は、第２のシーケンス３０９と第１のシーケンス３０８との積に対応している。第２のシーケンス３０９は巡回シフトシーケンスである。第１のシーケンス３０８は線形位相の複素指数シーケンスであり、シンボルｌにおいて保持される第２のビットシーケンス３０６にしたがって決定される。
【０１４９】
任意選択で、伝送対象のアップリンク制御情報の情報ビットシーケンス３０２のビット数が１である場合、シンボルｌにおいて保持される第２のビットシーケンス３０６のビット数は１であり、Ｎ個のシンボルにおいて保持される第１のビットシーケンス３０４のビット数はＮである。第２のビットシーケンス３０６は、第１のビットシーケンス３０４の一部であり、第１のビットシーケンス３０４は、伝送対象のアップリンク制御情報に対応する情報ビットシーケンスを循環して繰り返すことによって取得される。
【０１５０】
任意選択で、伝送対象のアップリンク制御情報の情報ビットシーケンス３０２のビット数が２である場合、シンボルｌにおいて保持される第２のビットシーケンス３０６のビット数は２であり、Ｎ個のシンボルにおいて保持される第１のビットシーケンスのビット数は２Ｎである。第２のビットシーケンス３０６は第１のビットシーケンス３０４の一部であり、第１のビットシーケンス３０４は、伝送対象のアップリンク制御情報に対応する情報ビットシーケンスを循環して繰り返すことによって取得される。
【０１５１】
任意選択で、伝送対象のアップリンク制御情報の情報ビットシーケンス３０２のビット数が、３より多いかまたはそれに等しく、かつ２Ｎより少ないかまたはそれに等しい場合、シンボルｌにおいて保持される第２のビットシーケンス３０６のビット数は２であり、Ｎ個のシンボルにおいて保持される第１のビットシーケンス３０４のビット数は２Ｎである。第２のビットシーケンス３０６は、第１のビットシーケンス３０４の一部であり、第１のビットシーケンス３０４は、伝送対象のアップリンク制御情報に対応する情報ビットシーケンスから、リード・ミュラーＲＭ符号化によって取得される。
【０１５２】
結論として、本開示の本実施形態において提供されるアップリンク制御情報伝送方法によると、アップリンク制御情報は、Ｎ個のシンボルを占有するアップリンク制御チャネルを使用することによって伝送され、ここで、Ｎは、１つのサブフレームのシンボル数より少なくてよく、例えば、Ｎは２である。これにより、比較的少数のシンボル上でのアップリンク制御情報伝送が実装される。加えて、アップリンク制御情報伝送方法において、線形の複素指数シーケンスが導入され、これにより、送信されたアップリンク制御情報に対応するシーケンスにおいて、いくつかのビットは、アップリンク制御情報に対応する情報ビットシーケンスと共には変化しない。ゆえに、当該ビットを基準信号として使用することができ、基地局は、これらの基準信号にしたがって無線チャネルのチャネル特性を取得できる。これにより、アップリンク制御情報の伝送信頼性が向上する。
【０１５３】
さらに、当該伝送方法において、アップリンク制御チャネルの各シンボルにおいて保持されるビット数は、２より多くならないように制御される。ゆえに、各シンボルが２ビットの情報を保持するとき、アップリンク制御情報性能を向上させるために、シンボル間パワー累算を効果的に使用することができ、これにより伝送利得が得られる。加えて、異なる情報ビットシーケンスに対応する線形の複素指数シーケンス間での相互直交特性が効果的に使用され、これにより、さらなる伝送利得が得られる。
【０１５４】
図４は、本開示の別の実施形態に係るアップリンク制御情報伝送方法の概略フローチャートである。図４の方法は、基地局によって実行される。
【０１５５】
段階４１０：基地局が、アップリンク制御チャネルを使用することによって端末デバイスによって送信されるアップリンク制御情報を受信する。ここで、アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである。任意選択で、第２のシーケンスは、ザドフ・チューシーケンス、または、巡回拡張または切り捨てによってザドフ・チューシーケンスから取得されるシーケンスである。
【０１５６】
任意選択で、本実施形態の第１のシーケンスと、第２のシーケンスと、第１のビットシーケンスと、第２のビットシーケンスと、Ｎ個のシンボルのうちのシンボルｌにおいて保持される信号とは、図２において説明されたものと同一である。ここでは詳細は繰り返さない。
【０１５７】
段階４２０：基地局が、アップリンク制御情報の情報ビット数と第２のシーケンスとにしたがって第１のシーケンスを決定する。ここで、第１のシーケンスは線形位相の複素指数シーケンスである。
【０１５８】
任意選択で、基地局は、情報ビット数にしたがって第１のシーケンスの候補セットを決定し、次に、候補セットにおける各シーケンスを使用することによって最尤法を行い、最後に、端末デバイスによって送信された第１のシーケンスを決定する。
【０１５９】
段階４３０：基地局が、第１のシーケンスにしたがってアップリンク制御情報の情報ビットシーケンスを決定する。
【０１６０】
任意選択で、段階４３０は次の段階を有してよい。
【０１６１】
段階４３０−１：基地局が、シンボルｌにおいて保持される第２のビットシーケンスのビット数を、アップリンク制御情報の情報ビット数にしたがって決定する。
【０１６２】
段階４３０−２：基地局が、シンボルｌにおいて保持される第２のビットシーケンスを、第１のシーケンスと、シンボルｌにおいて保持される第２のビットシーケンスのビット数とにしたがって決定する。
【０１６３】
任意選択で、段階４３０−２は次のケースを含んでよい。
【０１６４】
ケース１：シンボルｌにおいて保持される第２のビットシーケンスのビット数が１である場合、第１のシーケンスが｛１，１，１，１，１，１，１，１，１，１，１，１｝のとき、シンボルｌにおいて保持される第２のビットシーケンスは０であるか、または、第１のシーケンスが｛１，−１，１，−１，１，−１，１，−１，１，−１，１，−１｝のとき、シンボルｌにおいて保持される第２のビットシーケンスは１である。
【０１６５】
ケース２：シンボルｌにおいて保持される第２のビットシーケンスのビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが｛１，−１，１，−１，１，−１，１，−１，１，−１，１，−１｝のとき、シンボルｌにおいて保持される第２のビットシーケンスは１０であり、または、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１である。
【０１６６】
情報ビットシーケンスの値および第２のビットシーケンスは、上述の対応関係に限定されないことが理解されるべきである。すなわち、情報ビットシーケンスの値が第２のビットシーケンスに対応しているならば、対応関係は異なるものであってよい。
【０１６７】
任意選択で、段階４３０において、基地局が、第１のシーケンスと、アップリンク制御情報のビット数とにしたがって、アップリンク制御情報の情報ビットシーケンスを決定することは、アップリンク制御情報のビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、アップリンク制御情報のビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが{１，−１，１，−１，１，−１，１，−１，１，−１，１，−１}のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含んでよい。
【０１６８】
情報ビットシーケンスの値および第１のシーケンスは、上述の対応関係に限定されないことが理解されるべきである。すなわち、情報ビットシーケンスの値が第１のシーケンスに対応しているならば、対応関係は異なっていてよい。
【０１６９】
任意選択で、アップリンク制御チャネルのシンボル数Ｎは、１つのサブフレームに含まれるシンボルの数より少ない。
【０１７０】
任意選択で、基地局によって実装されるアップリンク制御情報伝送方法はまた、図３に関連して説明されてよい。
【０１７１】
まず、基地局は、検出対象のアップリンク制御情報を決定する。任意選択で、基地局は、検出対象のアップリンク制御情報の情報ビット数を決定してよい。すなわち、基地局は、端末デバイスによって設定されるキャリア数、および各キャリアの伝送モードなどの因子にしたがって、検出対象のアップリンク制御情報の情報ビット数を決定してよい。任意選択で、情報ビット数は、キャリア数と、各キャリアによってサポートされるコードワード数との積に等しくてよい。本段階は図２の段階１１０−１において説明されており、ここでは詳細は繰り返さない。
【０１７２】
次に、基地局は、アップリンク制御チャネルにおいて、検出対象のアップリンク制御情報を検出する。アップリンク制御チャネルはＮ個のシンボルを占有し、Ｎは正の整数である。Ｎ個のシンボルのうちのシンボルｌにおいて保持される信号は、第２のシーケンス３０９と第１のシーケンス３０８との積に対応している。第２のシーケンス３０９は巡回シフトシーケンスである。第１のシーケンス３０８は線形位相の複素指数シーケンスであり、シンボルｌにおいて保持される第２のビットシーケンス３０６にしたがって決定される。
【０１７３】
検出対象のアップリンク制御情報の情報ビット数が１のとき、シンボルｌにおいて保持される第２のビットシーケンス３０６のビット数は１である場合、Ｎ個のシンボルにおいて保持される第１のビットシーケンスのビット数はＮである。第２のビットシーケンス３０６は、第１のビットシーケンスの一部であり、第１のビットシーケンスは、検出対象のアップリンク制御情報に対応する候補の情報ビットシーケンスを循環して繰り返すことによって取得される。
【０１７４】
検出対象のアップリンク制御情報の情報ビット数が２である場合、シンボルｌにおいて保持される第２のビットシーケンス３０６のビット数は２であり、Ｎ個のシンボルにおいて保持される第１のビットシーケンスのビット数は２Ｎである。第２のビットシーケンス３０６は、第１のビットシーケンスの一部であり、第１のビットシーケンスは、検出対象のアップリンク制御情報に対応する候補の情報ビットシーケンスを循環して繰り返すことによって取得される。
【０１７５】
検出対象のアップリンク制御情報の情報ビット数が３より多いかまたはそれに等しく、かつ２Ｎより少ないかまたはそれに等しい場合、シンボルｌにおいて保持される第２のビットシーケンス３０６のビット数は２であり、Ｎ個のシンボルにおいて保持される第１のビットシーケンスのビット数は２Ｎである。第２のビットシーケンス３０６は、第１のビットシーケンス３０４の一部であり、第１のビットシーケンス３０４は、検出対象のアップリンク制御情報に対応する候補の情報ビットシーケンスから、リード・ミュラーＲＭ符号化によって取得される。
【０１７６】
結論として、本開示の本実施形態において提供されるアップリンク制御情報伝送方法によると、基地局は、Ｎ個のシンボルを占有するアップリンク制御チャネルを使用することによって、アップリンク制御情報を伝送する。ここで、Ｎは１つのサブフレームのシンボル数より少なくてよく、例えばＮは２である。これにより、比較的少数のシンボル上でのアップリンク制御情報伝送が実装される。加えて、アップリンク制御情報伝送方法において、線形の複素指数シーケンスが導入され、これにより、送信されたアップリンク制御情報に対応するシーケンスにおいて、いくつかのビットは、アップリンク制御情報に対応する情報ビットシーケンスと共には変化しない。ゆえに、当該ビットを基準信号として使用することができ、基地局は、これらの基準信号にしたがって無線チャネルのチャネル特性を取得できる。これにより、アップリンク制御情報の伝送信頼性が向上する。
【０１７７】
図５は、本開示の一実施形態に係るアップリンク制御情報伝送方法の概略フローチャートである。図５の方法は、端末デバイスによって実行されてよい。
【０１７８】
段階５１０：端末デバイスが、伝送対象のアップリンク制御情報の情報ビットシーケンスを決定する。本段階は、図２の段階１１０において説明されており、ここでは詳細は繰り返さない。
【０１７９】
段階５２０：端末デバイスが、アップリンク制御チャネルのシンボルｌにおいて保持される第２のビットシーケンスを情報ビットシーケンスにしたがって決定する。ここで、アップリンク制御チャネルはＮ個のシンボルを占有し、Ｎは正の整数であり、ｌは整数であり、ｌ＝０，  １，  ・・・，  Ｎ−１である。
【０１８０】
任意選択で、第２のビットシーケンスのステータス値は、Ｍ個のステータス値のうちの１つである。ここで、Ｍは正の整数である。第２のビットシーケンスのビット数は、１または２である。ビット数が１のとき、Ｍ個のステータス値は０および１を含み、または、ビット数が２のとき、Ｍ個のステータス値は００、０１、１０、および１１を含む。任意選択で、Ｍは２のＭ１乗であり、Ｍ１は、第２のビットシーケンスのビット数である。例えば、第２のビットシーケンスのビット数が１のとき、Ｍは２であり、または、第２のビットシーケンスのビット数が２のとき、Ｍは４である。
【０１８１】
任意選択で、段階５２０は次の段階を有してよい。
【０１８２】
段階５２０−１：端末デバイスが、情報ビットシーケンスと、アップリンク制御チャネルによって占有されるシンボルの数Ｎとにしたがって第１のビットシーケンスを決定する。ここで、第１のビットシーケンスのビット数はＮまたは２Ｎである。
【０１８３】
本段階は、次のケースを含む。
【０１８４】
ケース１：情報ビットシーケンスのビット数が１のとき、端末デバイスは、第１のビットシーケンスのビット数がＮであると決定し、第１のビットシーケンスが、情報ビットシーケンスをＮ回循環して繰り返すことによって取得されると決定する。
【０１８５】
ケース２：情報ビットシーケンスのビット数が２のとき、端末デバイスは、第１のビットシーケンスのビット数が２Ｎであると決定し、第１のビットシーケンスが、情報ビットシーケンスをＮ回循環して繰り返すことによって取得されると決定される。
【０１８６】
ケース３：情報ビットシーケンスのビット数が３より多いかまたはそれに等しく、かつ２Ｎより少ないかまたはそれに等しいとき、端末デバイスは、第１のビットシーケンスのビット数が２Ｎであると決定し、第１のビットシーケンスが、リード・ミュラー符号化によって情報ビットシーケンスから取得されると決定する。
【０１８７】
段階５２０−２：端末デバイスが、アップリンク制御チャネルのシンボルｌにおいて保持される第２のビットシーケンスを第１のビットシーケンスにしたがって決定する。ここで、シンボルｌにおいて保持される第２のビットシーケンスは、第１のビットシーケンスのうちの、シンボルｌにおいて保持される部分である。
【０１８８】
第１のビットシーケンスおよび第２のビットシーケンスの定義は、図２において説明されたものと同一であり、ここでは詳細は繰り返さない。 
【０１８９】
段階５３０：端末デバイスが、シンボルｌに対応する第３のシーケンスの巡回シフトを第２のビットシーケンスのステータス値にしたがって決定し、シンボルｌに対応する第３のシーケンスを巡回シフトにしたがって決定する。
【０１９０】
任意選択で、第３のシーケンスは巡回シフトシーケンスである。さらに、任意選択で、第３のシーケンスは、ザドフ・チューシーケンス、または、巡回拡張または切り捨てによってザドフ・チューシーケンスから取得されるシーケンスである。
【０１９１】
任意選択で、第２のビットシーケンスのステータス値は、Ｍ個のステータス値のうちの１つであり、Ｍ個のステータス値は、Ｍ個の巡回シフトと一対一の対応関係にある。本段階では、端末デバイスは、第２のビットシーケンスのステータス値にしたがって第３のシーケンスの巡回シフトを決定し、巡回シフトにしたがって第３のシーケンスを決定する。
【０１９２】
任意選択で、第３のシーケンスの巡回シフトは、シンボルｌにおいて保持される第２のビットシーケンスにしたがって決定される。このことは具体的に、第３のシーケンスの巡回シフトが、シンボルｌにおいて保持される第２のビットシーケンスのステータス値にしたがって決定されることを意味してよい。アップリンク制御情報の異なるステータス値を表すために、第３のシーケンスの異なる巡回シフトが使用される。例えば、シンボルｌにおいて保持される第２のビットシーケンスが０である場合、第３のシーケンスの巡回シフト因子は０であり、または、シンボルｌにおいて保持される第２のビットシーケンスが１である場合、第３のシーケンスの巡回シフト因子は２である。ＺＣシーケンスの巡回シフトに対してシングルキャリア特性が維持されるので、アップリンク制御情報の異なる状態を表すべく第３のシーケンスの異なる巡回シフトを使用することで、アップリンク制御情報伝送中のアップリンクにおけるシングルキャリア特性が確保される。
【０１９３】
任意選択で、Ｍ個のステータス値のうちの任意の２つに対応する巡回シフトの間隔は、２より大きいかまたはそれに等しい。例えば、シンボルｌにおいて保持される第２のビットシーケンスが１である場合、第３のシーケンスの巡回シフト因子は２であってよく、シンボルｌにおいて保持される第２のビットシーケンスが００である場合、第３のシーケンスの巡回シフト因子は４であってよく、または、シンボルｌにおいて保持される第２のビットシーケンスが０１である場合、第３のシーケンスの巡回シフト因子は６であってよい。
【０１９４】
段階５４０：端末デバイスが、シンボルｌに対応する第３のシーケンスをアップリンク制御チャネルのシンボルｌにマッピングし、第３のシーケンスを基地局に送信する。
【０１９５】
任意選択で、アップリンク制御チャネルのシンボル数Ｎは、１つのサブフレームに含まれるシンボルの数より少ない。任意選択で、Ｎは１より大きくてよく、これにより、比較的大量のビット数のアップリンク制御情報が伝送される必要があるシナリオ、または、比較的大きいアップリンク制御チャネルカバレッジが必要とされるシナリオの要件が満たされる。Ｎは、１つのサブフレームのシンボル数より少なくてよく、これにより、アップリンク制御情報は、比較的少数のシンボルにおいて伝送され得る。
【０１９６】
結論として、本発明の本実施形態において提供されるアップリンク制御情報伝送方法によると、アップリンク制御情報は、Ｎ個のシンボルを占有するアップリンク制御チャネルを使用することによって伝送され、ここで、Ｎは、１つのサブフレームのシンボル数より少なくてよく、例えば、Ｎは２である。これにより、比較的少数のシンボル上でのアップリンク制御情報伝送が実装される。加えて、第３のシーケンスは巡回シフトシーケンスである。ゆえに、アップリンク制御情報を保持するシーケンスを使用することによって、アップリンク制御情報のシングルキャリア特性が維持され得る。
【０１９７】
さらに、当該伝送方法において、アップリンク制御チャネルの各シンボルにおいて保持されるビット数は、２より多くならないように制御される。ゆえに、各シンボルが２ビットの情報を保持するとき、アップリンク制御情報性能を向上させるために、シンボル間パワー累算を効果的に使用することができ、これにより伝送利得が得られる。加えて、異なる情報ビットシーケンスに対応する線形の複素指数シーケンス間での相互直交特性が効果的に使用され、これにより、さらなる伝送利得が得られる。
【０１９８】
図６は、本発明の一実施形態に係るアップリンク制御チャネルのシンボルｌにおいて保持される信号を生成するための方法の概略フローチャートである。図６は、アップリンク制御チャネルのシンボルｌにおいて保持される信号６１０を情報ビットシーケンス６０２にしたがって生成するための手順を示している。図６の方法は、端末デバイスによって実行されてよい。
【０１９９】
図６に示すように、端末デバイスは、伝送対象のアップリンク制御情報を決定する。任意選択で、端末デバイスは、アップリンク制御情報の情報ビットシーケンス６０２を決定する。
【０２００】
次に、端末デバイスは、アップリンク制御チャネルを使用することによって、伝送対象のアップリンク制御情報を送信する。アップリンク制御チャネルはＮ個のシンボルを占有し、Ｎは正の整数である。Ｎ個のシンボルのうちのシンボルｌにおいて保持される信号は、第３のシーケンス６０８に対応しており、第３のシーケンス６０８は巡回シフトシーケンスである。第３のシーケンス６０８の巡回シフトは、シンボルｌにおいて保持される第２のビットシーケンス６０６にしたがって決定される。
【０２０１】
任意選択で、伝送対象のアップリンク制御情報の情報ビットシーケンス６０２のビット数が１である場合、シンボルｌにおいて保持される第２のビットシーケンス６０６のビット数は１であり、Ｎ個のシンボルにおいて保持される第１のビットシーケンス６０４のビット数はＮである。第２のビットシーケンス６０６は、第１のビットシーケンス６０４の一部であり、第１のビットシーケンス６０４は、伝送対象のアップリンク制御情報に対応する情報ビットシーケンスを循環して繰り返すことによって取得される。
【０２０２】
任意選択で、伝送対象のアップリンク制御情報の情報ビットシーケンス６０２のビット数が２である場合、シンボルｌにおいて保持される第２のビットシーケンス６０６のビット数は２であり、Ｎ個のシンボルにおいて保持される第１のビットシーケンスのビット数は２Ｎである。第２のビットシーケンス６０６は、第１のビットシーケンス６０４の一部であり、第１のビットシーケンス６０４は、伝送対象のアップリンク制御情報に対応する情報ビットシーケンスを循環して繰り返すことによって取得される。
【０２０３】
伝送対象のアップリンク制御情報の情報ビットシーケンス６０２のビット数が、３より多いかまたはそれに等しく、かつ２Ｎより少ないかまたはそれに等しい場合、シンボルｌにおいて保持される第２のビットシーケンス６０６のビット数は２であり、Ｎ個のシンボルにおいて保持される第１のビットシーケンス６０４のビット数は２Ｎである。第２のビットシーケンス６０６は、第１のビットシーケンス６０４の一部であり、第１のビットシーケンス６０４は、伝送対象のアップリンク制御情報に対応する情報ビットシーケンスから、リード・ミュラーＲＭ符号化によって取得される。
【０２０４】
図７は、本発明の一実施形態に係るアップリンク制御情報伝送方法の概略フローチャートである。図７の方法は、基地局によって実行されてよい。
【０２０５】
任意選択で、本実施形態の第１のビットシーケンスと、第２のビットシーケンスと、Ｎ個のシンボルのうちのシンボルｌにおいて保持される信号とは、図２において説明されたものと同一である。ここでは詳細は繰り返さない。
【０２０６】
段階７１０：基地局が、アップリンク制御チャネルを使用することによって端末デバイスによって送信されるアップリンク制御情報を受信する。ここで、アップリンク制御チャネルはＮ個のシンボルを占有し、Ｎは正の整数であり、Ｎ個のシンボルのうちのシンボルｌにおいて保持される信号は、第３のシーケンスに対応しており、第３のシーケンスは巡回シフトシーケンスであり、ｌは整数であり、ｌ＝０，１，・・・，Ｎ−１である。任意選択で、第３のシーケンスは、ザドフ・チューシーケンス、または、巡回拡張または切り捨てによってザドフ・チューシーケンスから取得されるシーケンスである。
【０２０７】
段階７２０：基地局が、シンボルｌにおいて保持される信号に対応する第３のシーケンスを、アップリンク制御情報の情報ビット数にしたがって決定する。
【０２０８】
段階７３０：基地局が、シンボルｌにおいて保持される信号に対応する第３のシーケンスにしたがって、アップリンク制御情報の情報ビットシーケンスを決定する。
【０２０９】
任意選択で、段階７３０は次の段階を有してよい。
【０２１０】
段階７３０−１：基地局が、シンボルｌにおいて保持される第２のビットシーケンスを、シンボルｌにおいて保持される信号に対応する第３のシーケンスにしたがって決定する。
【０２１１】
任意選択で、本段階は、シンボルｌにおいて保持される第２のビットシーケンスを、シンボルｌにおいて保持される信号に対応する第３のシーケンスの巡回シフトにしたがって基地局が決定する段階であって、第３のシーケンスの巡回シフトは、第２のビットシーケンスのステータス値に対応しており、第３のシーケンスの巡回シフトは、Ｍ個の巡回シフトのうちの１つであり、Ｍ個の巡回シフトは、Ｍ個のステータス値と一対一の対応関係にある、段階を含む。加えて、Ｍは２のＭ１乗であり、Ｍ１は、第２のビットシーケンスのビット数であり、ＭおよびＭ１は共に正の整数である。
【０２１２】
第２のビットシーケンスのＭ個のステータス値については、図５の段階５２０において説明されており、ここでは詳細は繰り返さない。
【０２１３】
任意選択で、Ｍ個のステータス値のうちの任意の２つに対応する巡回シフトの間隔は、２より大きいかまたはそれに等しい。
【０２１４】
段階７３０−２：基地局が、シンボルｌにおいて保持される第２のビットシーケンスにしたがって、アップリンク制御情報の情報ビットシーケンスを決定する。
【０２１５】
任意選択で、アップリンク制御チャネルのシンボル数Ｎは、１つのサブフレームに含まれるシンボルの数より少ない。
【０２１６】
結論として、本発明の本実施形態において提供されるアップリンク制御情報伝送方法によると、アップリンク制御情報は、Ｎ個のシンボルを占有するアップリンク制御チャネルを使用することによって伝送され、ここで、Ｎは、１つのサブフレームのシンボル数より少なくてよく、例えば、Ｎは２である。これにより、比較的少数のシンボル上でのアップリンク制御情報伝送が実装される。加えて、第３のシーケンスは巡回シフトシーケンスである。ゆえに、アップリンク制御情報を保持するシーケンスを使用することによって、アップリンク制御情報のシングルキャリア特性が維持され得る。
【０２１７】
さらに、当該伝送方法において、アップリンク制御チャネルの各シンボルにおいて保持されるビット数は、２より多くならないように制御される。ゆえに、各シンボルが２ビットの情報を保持するとき、アップリンク制御情報性能を向上させるために、シンボル間パワー累算を効果的に使用することができ、これにより伝送利得が得られる。加えて、異なる情報ビットシーケンスに対応する線形の複素指数シーケンス間での相互直交特性が効果的に使用され、これにより、さらなる伝送利得が得られる。
【０２１８】
任意選択で、基地局によって実装されるアップリンク制御情報伝送方法はまた、図６に関連して説明されてよい。
【０２１９】
まず、基地局は、検出対象のアップリンク制御情報を決定する。任意選択で、基地局は、検出対象のアップリンク制御情報の情報ビット数を決定してよい。すなわち、基地局は、端末デバイスによって設定されるキャリア数、および各キャリアの伝送モードなどの因子にしたがって、伝送対象のアップリンク制御情報の情報ビット数を決定してよい。任意選択で、情報ビット数は、キャリア数と、各キャリアによってサポートされるコードワード数との積に等しくてよい。本段階は、図２の段階１１０−１において説明されており、ここでは詳細は繰り返さない。
【０２２０】
次に、基地局は、アップリンク制御チャネルにおいて、検出対象のアップリンク制御情報を検出する。アップリンク制御チャネルはＮ個のシンボルに対応しており、Ｎは正の整数である。Ｎ個のシンボルのうちのシンボルｌにおいて保持される信号は、第３のシーケンス６０８に対応しており、第３のシーケンス６０８は巡回シフトシーケンスである。第３のシーケンス６０８の巡回シフトは、シンボルｌにおいて保持される第２のビットシーケンス６０６にしたがって決定される。
【０２２１】
任意選択で、検出対象のアップリンク制御情報の情報ビット数が１である場合、シンボルｌにおいて保持される第２のビットシーケンス６０６のビット数は１であり、Ｎ個のシンボルにおいて保持される第１のビットシーケンス６０４のビット数はＮである。第２のビットシーケンス６０６は、第１のビットシーケンス６０４の一部であり、第１のビットシーケンス６０４は、検出対象のアップリンク制御情報に対応する候補の情報ビットシーケンスを循環して繰り返すことによって取得される。
【０２２２】
検出対象のアップリンク制御情報の情報ビット数が２である場合、シンボルｌにおいて保持される第２のビットシーケンス６０６のビット数は２であり、Ｎ個のシンボルにおいて保持される第１のビットシーケンス６０４のビット数は２Ｎである。第２のビットシーケンス６０６は、第１のビットシーケンス６０４の一部であり、第１のビットシーケンス６０４は、検出対象のアップリンク制御情報に対応する候補の情報ビットシーケンスを循環して繰り返すことによって取得される。
【０２２３】
検出対象のアップリンク制御情報の情報ビット数が３より多いかまたはそれに等しく、かつ２Ｎより少ないかまたはそれに等しい場合、シンボルｌにおいて保持される第２のビットシーケンス６０６のビット数は２であり、Ｎ個のシンボルにおいて保持される第１のビットシーケンス６０４のビット数は２Ｎである。第２のビットシーケンス６０６は、第１のビットシーケンス６０４の一部であり、第１のビットシーケンス６０４は、検出対象のアップリンク制御情報に対応する候補の情報ビットシーケンスから、リード・ミュラーＲＭ符号化によって取得される。
【０２２４】
図８は、本発明の一実施形態に係る端末デバイスの概略図である。図８の端末デバイス８００は、処理ユニット８１０および送信ユニット８２０を備える。
【０２２５】
処理ユニット８１０は、伝送対象のアップリンク制御情報の情報ビットシーケンスを決定するよう構成される。処理ユニット８１０によって情報ビットシーケンスを決定するための方法は、図２の段階１１０において説明されたものと同一である。ここでは詳細は繰り返さない。
【０２２６】
その上、処理ユニット８１０はさらに、情報ビットシーケンスにしたがって第１のシーケンスを決定するよう構成される。第１のシーケンスは、線形位相の複素指数シーケンスである。
【０２２７】
任意選択で、処理ユニット８１０が情報ビットシーケンスにしたがって第１のシーケンスを決定することは、次の段階を有する。
【０２２８】
まず、処理ユニット８１０は、情報ビットシーケンスと、アップリンク制御チャネルのシンボル数Ｎとにしたがって第１のビットシーケンスを決定する。第１のビットシーケンスのビット数は、Ｎまたは２Ｎである。
【０２２９】
任意選択で、処理ユニット８１０が情報ビットシーケンスにしたがって第１のビットシーケンスを決定することは、次のケースを含む。
【０２３０】
ケース１：情報ビットシーケンスのビット数が１のとき、処理ユニット８１０は、第１のビットシーケンスのビット数がＮであると決定し、第１のビットシーケンスが、情報ビットシーケンスをＮ回循環して繰り返すことによって取得されると決定する。
【０２３１】
ケース２：情報ビットシーケンスのビット数が２のとき、処理ユニット８１０は、第１のビットシーケンスのビット数が２Ｎであると決定し、第１のビットシーケンスが、情報ビットシーケンスをＮ回循環して繰り返すことによって取得されると決定する。
【０２３２】
ケース３：情報ビットシーケンスのビット数が３より多いかまたはそれに等しく、かつ２Ｎより少ないかまたはそれに等しいとき、処理ユニット８１０は、第１のビットシーケンスのビット数が２Ｎであると決定し、第１のビットシーケンスが、リード・ミュラー符号化によって情報ビットシーケンスから取得されると決定する。
【０２３３】
次に、処理ユニット８１０は、シンボルｌにおいて保持される第２のビットシーケンスを第１のビットシーケンスにしたがって決定する。第２のビットシーケンスは、第１のビットシーケンスのうちの、シンボルｌにおいて保持される部分である。
【０２３４】
次に、処理ユニット８１０は、シンボルｌにおいて保持される第２のビットシーケンスにしたがって、対応する第１のシーケンスを決定する。
【０２３５】
任意選択で、処理ユニット８１０がシンボルｌにおいて保持される第２のビットシーケンスにしたがって、対応する第１のシーケンスを決定することは、シンボルｌにおいて保持される第２のビットシーケンスのビット数が１である場合、第２のビットシーケンスが０のとき、第１のシーケンスは｛１，１，１，１，１，１，１，１，１，１，１，１｝であり、もしくは、第２のビットシーケンスが１のとき、第１のシーケンスは、｛１，−１，１，−１，１，−１，１，−１，１，−１，１，−１｝であること、または、シンボルｌにおいて保持される第２のビットシーケンスのビット数が２である場合、第２のビットシーケンスが００のとき、第１のシーケンスは、｛１，１，１，１，１，１，１，１，１，１，１，１｝であり、第２のビットシーケンスが０１のとき、第１のシーケンスは、｛１，−ｊ，１，−１，１，−ｊ，１，−１，１，−ｊ，１，−１｝であり、第２のビットシーケンスが１０のとき、第１のシーケンスは、｛１，−１，１，−１，１，−１，１，−１，１，−１，１，−１｝であり、もしくは、第２のビットシーケンスが１１のとき、第１のシーケンスは、｛１，ｊ，−１，−ｊ，１，ｊ，−１，−ｊ，１，ｊ，−１，−ｊ｝であることを含む。
【０２３６】
加えて、任意選択で、処理ユニット８１０が情報ビットシーケンスにしたがって第１のシーケンスを決定することは、情報ビットシーケンスのビット数が１である場合、情報ビットシーケンスが０のとき、第１のシーケンスは、｛１，１，１，１，１，１，１，１，１，１，１，１｝であり、もしくは、情報ビットシーケンスが１のとき、第１のシーケンスは、｛１，−１，１，−１，１，−１，１，−１，１，−１，１，−１｝であること、または、情報ビットシーケンスのビット数が２である場合、情報ビットシーケンスが００のとき、第１のシーケンスは、｛１，１，１，１，１，１，１，１，１，１，１，１｝であり、情報ビットシーケンスが０１のとき、第１のシーケンスは、｛１，−ｊ，１，−１，１，−ｊ，１，−１，１，−ｊ，１，−１｝であり、情報ビットシーケンスが１０のとき、第１のシーケンスは、｛１，−１，１，−１，１，−１，１，−１，１，−１，１，−１｝であり、もしくは、情報ビットシーケンスが１１のとき、第１のシーケンスは、｛１，ｊ，−１，−ｊ，１，ｊ，−１，−ｊ，１，ｊ，−１，−ｊ｝であることを含む。
【０２３７】
情報ビットシーケンスにしたがって第１のシーケンスを処理ユニット８１０によって決定するための方法は、図２の段階１２０において説明されたものと同一である。ここでは詳細は繰り返さない。
【０２３８】
送信ユニット８２０は、アップリンク制御チャネルを使用することによって、伝送対象のアップリンク制御情報を基地局に送信するよう構成される。アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである。
【０２３９】
任意選択で、第２のシーケンスは、ザドフ・チューシーケンス、または、巡回拡張または切り捨てによってザドフ・チューシーケンスから取得されるシーケンスである。
【０２４０】
任意選択で、アップリンク制御チャネルのシンボル数Ｎは、１つのサブフレームに含まれるシンボルの数より少ない。
【０２４１】
送信ユニット８２０が、アップリンク制御チャネルを使用することによって、伝送対象のアップリンク制御情報を基地局に送信するプロセスは、図２の段階１３０において説明されたものと同一である。ここでは詳細は繰り返さない。
【０２４２】
任意選択で、本実施形態の第１のシーケンスと、第２のシーケンスと、第１のビットシーケンスと、第２のビットシーケンスと、Ｎ個のシンボルのうちのシンボルｌにおいて保持される信号とは、図２において説明されたものと同一である。ここでは詳細は繰り返さない。
【０２４３】
結論として、本発明の本実施形態において提供される端末デバイスは、Ｎ個のシンボルを占有するアップリンク制御チャネルを使用することによってアップリンク制御情報を伝送する。ここで、Ｎは、１つのサブフレームのシンボル数より少なくてよく、例えば、Ｎは２である。これにより、比較的少数のシンボル上でのアップリンク制御情報伝送が実装される。加えて、アップリンク制御情報伝送方法において、線形の複素指数シーケンスが導入され、これにより、送信されたアップリンク制御情報に対応するシーケンスにおいて、いくつかのビットは、アップリンク制御情報に対応する情報ビットシーケンスと共には変化しない。ゆえに、当該ビットを基準信号として使用することができ、基地局は、これらの基準信号にしたがって無線チャネルのチャネル特性を取得できる。これにより、アップリンク制御情報の伝送信頼性が向上する。
【０２４４】
さらに、データを伝送するために端末デバイスによって使用されるアップリンク制御チャネルの各シンボルにおいて保持されるビットの数は、２より大きくない。ゆえに、各シンボルが２ビットの情報を保持するとき、アップリンク制御情報性能を向上させるために、シンボル間パワー累算を効果的に使用することができ、これにより伝送利得が得られる。加えて、異なる情報ビットシーケンスに対応する線形の複素指数シーケンス間での相互直交特性が効果的に使用され、これにより、さらなる伝送利得が得られる。
【０２４５】
図９は、本発明の一実施形態に係る基地局の概略図である。図９の基地局９００は、受信ユニット９１０および処理ユニット９２０を備える。
【０２４６】
受信ユニット９１０は、アップリンク制御チャネルを使用することによって端末デバイスによって送信されるアップリンク制御情報を受信するよう構成される。アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである。受信ユニット９１０が、アップリンク制御チャネルを使用することによって端末デバイスによって送信されるアップリンク制御情報を受信するよう構成されるプロセスは、図４の段階４１０において説明されたものと同一である。ここでは詳細は繰り返さない。
【０２４７】
処理ユニット９２０は、アップリンク制御情報の情報ビット数と第２のシーケンスとにしたがって第１のシーケンスを決定するよう構成される。第１のシーケンスは、線形位相の複素指数シーケンスである。
【０２４８】
任意選択で、基地局は、情報ビット数にしたがって第１のシーケンスの候補セットを決定し、次に、候補セットにおける各シーケンスを使用することによって最大尤度を行い、最後に、端末デバイスによって送信された第１のシーケンスを決定する。
【０２４９】
処理ユニット９２０が、アップリンク制御情報の情報ビット数と第２のシーケンスとにしたがって第１のシーケンスを決定するよう構成されるプロセスは、図４の段階４２０において説明されたものと同一である。ここでは詳細は繰り返さない。
【０２５０】
その上、処理ユニット９２０はさらに、第１のシーケンスにしたがってアップリンク制御情報の情報ビットシーケンスを決定するよう構成される。
【０２５１】
任意選択で、処理ユニット９２０が、第１のシーケンスにしたがってアップリンク制御情報の情報ビットシーケンスを決定することは、次の段階を有する。
【０２５２】
まず、処理ユニット９２０が、シンボルｌにおいて保持される第２のビットシーケンスのビット数を、アップリンク制御情報の情報ビット数にしたがって決定する。
【０２５３】
次に、処理ユニット９２０は、シンボルｌにおいて保持される第２のビットシーケンスを、第１のシーケンスとシンボルｌにおいて保持される第２のビットシーケンスのビット数とにしたがって決定する。
【０２５４】
次に、処理ユニット９２０は、シンボルｌにおいて保持される第２のビットシーケンスにしたがって、アップリンク制御情報の情報ビットシーケンスを決定する。
【０２５５】
処理ユニット９２０が、シンボルｌにおいて保持される第２のビットシーケンスを、第１のシーケンスとシンボルｌにおいて保持される第２のビットシーケンスのビット数とにしたがって決定することは、シンボルｌにおいて保持される第２のビットシーケンスのビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、シンボルｌにおいて保持される第２のビットシーケンスのビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが｛１，−１，１，−１，１，−１，１，−１，１，−１，１，−１｝のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含む。
【０２５６】
加えて、任意選択で、処理ユニット９２０が第１のシーケンスとアップリンク制御情報のビット数とにしたがって、アップリンク制御情報の情報ビットシーケンスを決定することは、アップリンク制御情報のビット数が１である場合、第１のシーケンスが｛１，１，１，１，１，１，１，１，１，１，１，１｝のとき、シンボルｌにおいて保持される第２のビットシーケンスは０であり、もしくは、第１のシーケンスが｛１，−１，１，−１，１，−１，１，−１，１，−１，１，−１｝のとき、シンボルｌにおいて保持される第２のビットシーケンスは１であること、または、アップリンク制御情報のビット数が２である場合、第１のシーケンスが｛１，１，１，１，１，１，１，１，１，１，１，１｝のとき、シンボルｌにおいて保持される第２のビットシーケンスは００であり、第１のシーケンスが｛１，−ｊ，１，−１，１，−ｊ，１，−１，１，−ｊ，１，−１｝のとき、シンボルｌにおいて保持される第２のビットシーケンスは０１であり、第１のシーケンスが{１，−１，１，−１，１，−１，１，−１，１，−１，１，−１}のとき、シンボルｌにおいて保持される第２のビットシーケンスは１０であり、もしくは、第１のシーケンスが｛１，ｊ，−１，−ｊ，１，ｊ，−１，−ｊ，１，ｊ，−１，−ｊ｝のとき、シンボルｌにおいて保持される第２のビットシーケンスは１１であることを含む。
【０２５７】
処理ユニット９２０が、第１のシーケンスにしたがってアップリンク制御情報の情報ビットシーケンスを決定するプロセスは、図４の段階４３０において説明されてものと同一である。ここでは詳細は繰り返さない。
【０２５８】
任意選択で、本実施形態の第１のシーケンスと、第２のシーケンスと、第１のビットシーケンスと、第２のビットシーケンスと、Ｎ個のシンボルのうちのシンボルｌにおいて保持される信号とは、図２において説明されたものと同一である。ここでは詳細は繰り返さない。
【０２５９】
任意選択で、アップリンク制御チャネルのシンボル数Ｎは、１つのサブフレームに含まれるシンボルの数より少ない。任意選択で、Ｎは１より大きくてよく、これにより、比較的大量のビット数のアップリンク制御情報が伝送される必要があるシナリオ、または、比較的大きいアップリンク制御チャネルカバレッジが必要とされるシナリオの要件が満たされる。Ｎは、１つのサブフレームのシンボル数より少なくてよく、これにより、アップリンク制御情報は、比較的少数のシンボルにおいて伝送され得る。
【０２６０】
結論として、本発明の本実施形態において提供される基地局によると、基地局は、Ｎ個のシンボルを占有するアップリンク制御チャネルを使用することによって、アップリンク制御情報を伝送する。ここで、Ｎは、１つのサブフレームのシンボル数より少なくてよく、例えば、Ｎは２である。これにより、比較的少数のシンボル上でのアップリンク制御情報伝送が実装される。加えて、アップリンク制御情報伝送方法において、線形の複素指数シーケンスが導入され、これにより、送信されたアップリンク制御情報に対応するシーケンスにおいて、いくつかのビットは、アップリンク制御情報に対応する情報ビットシーケンスと共には変化しない。ゆえに、当該ビットを基準信号として使用することができ、基地局は、これらの基準信号にしたがって無線チャネルのチャネル特性を取得できる。これにより、アップリンク制御情報の伝送信頼性が向上する。
【０２６１】
図１０は、本発明の一実施形態に係る端末デバイスの概略図である。図１０の端末デバイス１０００は、処理ユニット１０１０および送信ユニット１０２０を備える。
【０２６２】
処理ユニット１０１０は、伝送対象のアップリンク制御情報の情報ビットシーケンスを決定するよう構成される。処理ユニット１０１０によって情報ビットシーケンスを決定するための方法は、図２の段階１１０において説明されたものと同一である。ここでは詳細は繰り返さない。
【０２６３】
処理ユニット１０１０はさらに、アップリンク制御チャネルのシンボルｌにおいて保持される第２のビットシーケンスを情報ビットシーケンスにしたがって決定するよう構成される。アップリンク制御チャネルはＮ個のシンボルを占有し、Ｎは正の整数であり、ｌは整数であり、ｌ＝０，１，・・・，Ｎ−１である。
【０２６４】
任意選択で、処理ユニット１０１０が、アップリンク制御チャネルのシンボルｌにおいて保持される第２のビットシーケンスを情報ビットシーケンスにしたがって決定することは、次の段階を有する。
【０２６５】
まず、処理ユニット１０１０は、情報ビットシーケンスとアップリンク制御チャネルによって占有されるシンボルの数Ｎとにしたがって第１のビットシーケンスを決定する。第１のビットシーケンスのビット数は、Ｎまたは２Ｎである。本プロセスは、次の３つのケースを含む。
【０２６６】
ケース１：情報ビットシーケンスのビット数が１のとき、処理ユニット１０１０は、第１のビットシーケンスのビット数がＮであると決定し、第１のビットシーケンスが、情報ビットシーケンスをＮ回循環して繰り返すことによって取得されると決定する。
【０２６７】
ケース２：情報ビットシーケンスのビット数が２のとき、処理ユニット１０１０は、第１のビットシーケンスのビット数が２Ｎであると決定し、第１のビットシーケンスが、情報ビットシーケンスをＮ回循環して繰り返すことによって取得されると決定する。
【０２６８】
ケース３：情報ビットシーケンスのビット数が３より多いかまたはそれに等しく、かつ２Ｎより少ないかまたはそれに等しいとき、処理ユニット１０１０は、第１のビットシーケンスのビット数が２Ｎであると決定し、第１のビットシーケンスが、リード・ミュラー符号化によって情報ビットシーケンスから取得されると決定する。
【０２６９】
次に、処理ユニット１０１０は、アップリンク制御チャネルのシンボルｌにおいて保持される第２のビットシーケンスを第１のビットシーケンスにしたがって決定する。シンボルｌにおいて保持される第２のビットシーケンスは、第１のビットシーケンスのうちの、シンボルｌにおいて保持される部分である。
【０２７０】
処理ユニット１０１０が、アップリンク制御チャネルのシンボルｌにおいて保持される第２のビットシーケンスを情報ビットシーケンスにしたがって決定するプロセスは、図５の段階５１０において説明されており、ここでは詳細は繰り返さない。
【０２７１】
処理ユニット１０１０はさらに、シンボルｌに対応する第３のシーケンスの巡回シフトを第２のビットシーケンスのステータス値にしたがって決定し、シンボルｌに対応する第３のシーケンスを巡回シフトにしたがって決定するよう構成される。
【０２７２】
任意選択で、第２のビットシーケンスのステータス値は、第３のシーケンスの複数の巡回シフトと一対一の対応関係にある。第２のビットシーケンスのステータス値は、Ｍ個のステータス値のうちの１つである。Ｍ個のステータス値は、Ｍ個の巡回シフトと一対一の対応関係にある。Ｍは２のＭ１乗であり、Ｍ１は、第２のビットシーケンスのビット数であり、ＭおよびＭ１は共に正の整数である。その上、任意選択で、Ｍ個のステータス値のうちの任意の２つに対応する巡回シフトの間隔は、２より大きいかまたはそれに等しい。
【０２７３】
任意選択で、第３のシーケンスは、ザドフ・チューシーケンス、または、巡回拡張または切り捨てによってザドフ・チューシーケンスから取得されるシーケンスである。
【０２７４】
処理ユニット１０１０が、シンボルｌに対応する第３のシーケンスの巡回シフトを第２のビットシーケンスのＭ個のステータス値にしたがって決定するプロセスは、図５の段階５３０において説明されており、ここでは詳細は繰り返さない。
【０２７５】
送信ユニット１０２０は、シンボルｌに対応する第３のシーケンスをアップリンク制御チャネルのシンボルｌにマッピングし、第３のシーケンスを基地局に送信するよう構成される。本プロセスは、図５の段階５４０において説明されており、ここでは詳細は繰り返さない。
【０２７６】
任意選択で、アップリンク制御チャネルのシンボル数Ｎは、１つのサブフレームに含まれるシンボルの数より少ない。任意選択で、Ｎは１より大きくてよく、これにより、比較的大量のビット数のアップリンク制御情報が伝送される必要があるシナリオ、または、比較的大きいアップリンク制御チャネルカバレッジが必要とされるシナリオの要件が満たされる。Ｎは、１つのサブフレームのシンボル数より少なくてよく、これにより、アップリンク制御情報は、比較的少数のシンボルにおいて伝送され得る。
【０２７７】
結論として、本発明の本実施形態において提供される端末デバイスは、Ｎ個のシンボルを占有するアップリンク制御チャネルを使用することによってアップリンク制御情報を伝送する。ここで、Ｎは、１つのサブフレームのシンボル数より少なくてよく、例えば、Ｎは２である。これにより、比較的少数のシンボル上でのアップリンク制御情報伝送が実装される。加えて、第３のシーケンスは巡回シフトシーケンスである。ゆえに、アップリンク制御情報を保持するシーケンスを使用することによって、アップリンク制御情報のシングルキャリア特性が維持され得る。
【０２７８】
さらに、当該伝送方法において、アップリンク制御チャネルの各シンボルにおいて保持されるビット数は、２より多くならないように制御される。ゆえに、各シンボルが２ビットの情報を保持するとき、アップリンク制御情報性能を向上させるために、シンボル間パワー累算を効果的に使用することができ、これにより伝送利得が得られる。加えて、異なる情報ビットシーケンスに対応する線形の複素指数シーケンス間での相互直交特性が効果的に使用され、これにより、さらなる伝送利得が得られる。
【０２７９】
図１１は、本発明の一実施形態に係る基地局の概略図である。図１１の基地局１１００は、受信ユニット１１１０および処理ユニット１１２０を含む。
【０２８０】
任意選択で、本実施形態の第１のビットシーケンスと、第２のビットシーケンスと、Ｎ個のシンボルのうちのシンボルｌにおいて保持される信号とは、図２において説明されたものと同一である。ここでは詳細は繰り返さない。
【０２８１】
受信ユニット１１１０は、アップリンク制御チャネルを使用することによって端末デバイスによって送信されるアップリンク制御情報を受信するよう構成される。アップリンク制御チャネルはＮ個のシンボルを占有し、Ｎは正の整数であり、Ｎ個のシンボルのうちのシンボルｌにおいて保持される信号は、第３のシーケンスに対応しており、第３のシーケンスは巡回シフトシーケンスであり、ｌは整数であり、ｌ＝０，１，・・・，Ｎ−１である。任意選択で、第３のシーケンスは、ザドフ・チューシーケンス、または、巡回拡張または切り捨てによってザドフ・チューシーケンスから取得されるシーケンスである。
【０２８２】
処理ユニット１１２０は、シンボルｌにおいて保持される信号に対応する第３のシーケンスを、アップリンク制御情報の情報ビット数にしたがって決定するよう構成される。
【０２８３】
処理ユニット１１２０はさらに、シンボルｌにおいて保持される信号に対応する第３のシーケンスにしたがって、アップリンク制御情報の情報ビットシーケンスを決定するよう構成される。
【０２８４】
任意選択で、処理ユニット１１２０が、シンボルｌにおいて保持される信号に対応する第３のシーケンスにしたがって、アップリンク制御情報の情報ビットシーケンスを決定することは、シンボルｌにおいて保持される第２のビットシーケンスを、シンボルｌにおいて保持される信号に対応する第３のシーケンスにしたがって処理ユニット１１２０が決定することと、シンボルｌにおいて保持される第２のビットシーケンスにしたがって、アップリンク制御情報の情報ビットシーケンスを決定することとを有する。
【０２８５】
その上、任意選択で、シンボルｌにおいて保持される第２のビットシーケンスを、シンボルｌにおいて保持される信号に対応する第３のシーケンスにしたがって処理ユニット１１２０が決定することは、シンボルｌにおいて保持される第２のビットシーケンスを、シンボルｌにおいて保持される信号に対応する第３のシーケンスの巡回シフトにしたがって決定することを含む。ここで、第２のビットシーケンスはＭ個のステータス値を含み、第３のシーケンスの巡回シフトは、第２のビットシーケンスのステータス値に対応しており、第３のシーケンスの巡回シフトは、Ｍ個の巡回シフトのうちの１つであり、Ｍ個の巡回シフトは、Ｍ個のステータス値と一対一の対応関係にあり、Ｍは２のＭ１乗であり、Ｍ１は第２のビットシーケンスのビット数であり、ＭおよびＭ１は共に正の整数である。
【０２８６】
任意選択で、第２のビットシーケンスのＭ個のステータス値は、図５において説明されており、ここでは詳細は繰り返さない。
【０２８７】
任意選択で、Ｍ個のステータス値のうちの任意の２つに対応する巡回シフトの間隔は、２より大きいかまたはそれに等しい。
【０２８８】
任意選択で、アップリンク制御チャネルのシンボル数Ｎは、１つのサブフレームに含まれるシンボルの数より少ない。任意選択で、Ｎは１より大きくてよく、これにより、比較的大量のビット数のアップリンク制御情報が伝送される必要があるシナリオ、または、比較的大きいアップリンク制御チャネルカバレッジが必要とされるシナリオの要件が満たされる。Ｎは、１つのサブフレームのシンボル数より少なくてよく、これにより、アップリンク制御情報は、比較的少数のシンボルにおいて伝送され得る。
【０２８９】
結論として、本発明の本実施形態において提供される基地局は、Ｎ個のシンボルを占有するアップリンク制御チャネルを使用することによってアップリンク制御情報を伝送する。ここで、Ｎは、１つのサブフレームのシンボル数より少なくてよく、例えば、Ｎは２である。これにより、比較的少数のシンボル上でのアップリンク制御情報伝送が実装される。加えて、第３のシーケンスは巡回シフトシーケンスである。ゆえに、アップリンク制御情報を保持するシーケンスを使用することによって、アップリンク制御情報のシングルキャリア特性が維持され得る。
【０２９０】
さらに、当該伝送方法において、アップリンク制御チャネルの各シンボルにおいて保持されるビット数は、２より多くならないように制御される。ゆえに、各シンボルが２ビットの情報を保持するとき、アップリンク制御情報性能を向上させるために、シンボル間パワー累算を効果的に使用することができ、これにより伝送利得が得られる。加えて、異なる情報ビットシーケンスに対応する線形の複素指数シーケンス間での相互直交特性が効果的に使用され、これにより、さらなる伝送利得が得られる。
【０２９１】
本発明の実施形態において、図８の処理ユニット８１０および図１０の処理ユニット１１１０は、プロセッサによって実装され得て、図８の受信ユニット８２０および図１０の受信ユニット１０２０は、受信機によって実装され得ることに注意すべきである。図１２に示すように、端末デバイス１２００は、プロセッサ１２１０、送信機１２２０、およびメモリ１２３０を備えてよい。メモリ１２３０は、端末デバイスの納入前に事前にインストールされたプログラム／コードを格納すること、実行のためにプロセッサ１２１０によって使用されるコードを格納すること、および同様のことを行うよう構成されてよい。
【０２９２】
端末デバイス１２００のコンポーネントは、バスシステム１２５０を使用することによって共に連結される。データバスに加えて、バスシステム１２５０はさらに、電力バス、制御バス、およびステータス信号バスを含む。
【０２９３】
本発明の本実施形態において、図９の受信ユニット９１０および図１１の受信ユニット１１１０は、受信機によって実装され得て、図９の処理ユニット９２０および図１１の処理ユニット１１２０は、プロセッサによって実装され得る。図１３に示すように、基地局１３００は、プロセッサ１３１０、受信機１３２０、およびメモリ１３３０を備えてよい。メモリ１３３０は、基地局の納入前に事前にインストールされたプログラム／コードを格納すること、実行のためにプロセッサ１３１０によって使用されるコードを格納すること、および同様のことを行うよう構成されてよい。
【０２９４】
基地局１３００のコンポーネントは、バスシステム１３５０を使用することによって共に連結される。データバスに加えて、バスシステム１３５０はさらに、電力バス、制御バス、およびステータス信号バスを含む。
【０２９５】
図１４は、本発明の一実施形態に係る通信システムの概略図である。図１４の通信システム１４００は、端末デバイス１４１０および基地局１４２０を備える。
【０２９６】
端末デバイス１４１０は、伝送対象のアップリンク制御情報の情報ビットシーケンスを決定し、情報ビットシーケンスにしたがって第１のシーケンスを決定するよう構成される。第１のシーケンスは、線形位相の複素指数シーケンスである。
【０２９７】
端末デバイス１４１０はさらに、アップリンク制御チャネルを使用することによって、伝送対象のアップリンク制御情報を基地局１４２０に送信するよう構成される。アップリンク制御チャネルはＮ個のシンボルを占有し、Ｎは正の整数であり、Ｎ個のシンボルのうちのシンボルｌにおいて保持される信号は、第１のシーケンスと第２のシーケンスとの積に正比例し、第２のシーケンスは巡回シフトシーケンスである。
【０２９８】
基地局１４２０は、アップリンク制御チャネルを使用することによって端末デバイスによって送信されるアップリンク制御情報を受信するよう構成される。
【０２９９】
基地局１４２０はさらに、アップリンク制御情報の情報ビット数と第２のシーケンスとにしたがって第１のシーケンスを決定し、第１のシーケンスにしたがって情報ビットシーケンスを決定するよう構成される。
【０３００】
任意選択で、本発明の本実施形態の通信システム１４００において、端末デバイス１４１０は、図８の端末デバイス８００であってよく、基地局１４２０は、図９の基地局９００であってよい。
【０３０１】
図１５は、本発明の一実施形態に係る通信システムの概略図である。図１５の通信システム１５００は、端末デバイス１５１０および基地局１５２０を備える。
【０３０２】
端末デバイス１５１０は、伝送対象のアップリンク制御情報の情報ビットシーケンスを決定し、情報ビットシーケンスにしたがって、アップリンク制御チャネルのシンボルｌにおいて保持される第２のビットシーケンスを決定するよう構成される。アップリンク制御チャネルはＮ個のシンボルを占有し、Ｎは正の整数であり、ｌは整数であり、ｌ＝０，１，・・・，Ｎ−１である。端末デバイス１５１０はさらに、シンボルｌに対応する第３のシーケンスの巡回シフトを第２のビットシーケンスのステータス値にしたがって決定し、シンボルｌに対応する第３のシーケンスを巡回シフトにしたがって決定するよう構成される。
【０３０３】
端末デバイス１５１０はさらに、シンボルｌに対応する第３のシーケンスをアップリンク制御チャネルのシンボルｌにマッピングし、第３のシーケンスを基地局１５２０に送信するよう構成される。
【０３０４】
基地局１５２０は、アップリンク制御チャネルを使用することによって端末デバイス１５１０によって送信されるアップリンク制御情報を受信するよう構成される。
【０３０５】
基地局１５２０はさらに、シンボルｌにおいて保持される信号に対応する第３のシーケンスを、アップリンク制御情報の情報ビット数にしたがって決定し、シンボルｌにおいて保持される信号に対応する第３のシーケンスにしたがって情報ビットシーケンスを決定するよう構成される。
【０３０６】
任意選択で、本発明の本実施形態の通信システム１５００において、端末デバイス１５１０は、図１０の端末デバイス１０００であってよく、基地局１５２０は、図１１の基地局１１００であってよい。
【０３０７】
任意選択で、本発明の一実施形態はさらに、図１６に示されるような、次に挙げるアップリンク制御情報伝送方法を提供する。図１６は、本発明の本実施形態に係るアップリンク制御情報伝送方法の概略フローチャートである。図１６の方法は、端末デバイスによって実行されてよい。
【０３０８】
段階１６１０：端末デバイスが、伝送対象のアップリンク制御情報を決定する。
【０３０９】
本段階では、端末デバイスが、伝送対象のアップリンク制御情報を決定することは、端末デバイスが、伝送対象のアップリンク制御情報の情報ビットシーケンスを決定することであってよい。詳細は、図２の段階１１０を参照されたい。ここでは詳細は繰り返さない。
【０３１０】
任意選択で、アップリンク制御情報に対応する情報ビット数は２Ｎより多く、Ｎは、アップリンク制御チャネルによって占有されるシンボルの数である。
【０３１１】
段階１６２０：端末デバイスが、アップリンク制御チャネルを使用することによって、伝送対象のアップリンク制御情報を基地局に送信する。
【０３１２】
任意選択で、アップリンク制御チャネルはＮ個のシンボルに対応しており、Ｎは、１より大きい正の整数である。Ｎ個のシンボルは、基準信号の伝送に使用される１つのシンボルを含む。残りのＮ−１個のシンボルは、アップリンク制御情報の伝送に使用される。Ｎ−１個のシンボルの各々において保持される信号は、２４個の符号化ビットに対応しており、２４個の符号化ビットは、伝送対象のアップリンク制御情報に対応する情報ビットシーケンスから、ＲＭ符号の符号化によって取得される。２４個の符号化ビットは、１２個のＱＰＳＫ変調シンボルに対応しており、各サブキャリアは、１つのＱＰＳＫ変調シンボルを保持する。
【０３１３】
例えば、Ｎ＝２のとき、アップリンク制御チャネルに対応する２つのシンボルのうち、第１のシンボルは、伝送対象のアップリンク制御情報を伝送するために使用され、第２のシンボルは、基準信号を伝送するために使用される。アップリンク制御情報を伝送するために使用されるシンボルにおいて保持される信号は、２４個の符号化ビットに対応しており、２４個の符号化ビットは、伝送対象のアップリンク制御情報に対応する情報ビットシーケンスから、ＲＭ符号の符号化によって取得される。２４個の符号化ビットは、１２個のＱＰＳＫ変調シンボルに対応しており、各サブキャリアは、１つのＱＰＳＫ変調シンボルを保持する。
【０３１４】
Ｎ＝３のとき、アップリンク制御チャネルに対応する３つのシンボルのうち、第１のシンボルおよび第３のシンボルは、伝送対象のアップリンク制御情報を伝送するために使用され、第２のシンボルは、基準信号を伝送するために使用される。第１のシンボルにおいて保持される信号は、２４個の符号化ビットに対応しており、２４個の符号化ビットは、伝送対象のアップリンク制御情報に対応する情報ビットシーケンスからＲＭ符号の符号化によって取得され、２４個の符号化ビットは、１２個のＱＰＳＫ変調シンボルに対応しており、各サブキャリアは、１つのＱＰＳＫ変調シンボルを保持する。第３のシンボルにおいて保持される信号は、２４個の符号化ビットに対応しており、２４個の符号化ビットは、伝送対象のアップリンク制御情報に対応する情報ビットシーケンスからＲＭ符号の符号化によって取得され、２４個の符号化ビットは、１２個のＱＰＳＫ変調シンボルに対応しており、各サブキャリアは、１つのＱＰＳＫ変調シンボルを保持する。第３のシンボルにおいて保持される信号は、第１のシンボルにおいて保持される信号と同一であってよく、または第１のシンボルにおいて保持される信号とは異なっていてよい。例えば、第１のシンボルおよび第３のシンボルは、直交カバーコードを使用することによって変調されてよい。例えば、直交カバーコードは、｛１，１｝または｛１，−１｝であってよい。
【０３１５】
本実施形態において、２４個の符号化ビットは、アップリンク制御情報を保持するシンボルを使用することによって保持される。２４個の符号化ビットは、伝送対象のアップリンク制御情報に対応する情報ビットシーケンスからＲＭ符号の符号化によって取得される。ＲＭ符号の特性によると、アップリンク制御情報に対応する情報ビットシーケンスのビット数は２より多くてよい。ゆえに、本実施形態によると、比較的多数のビットを有するアップリンク制御情報の伝送がサポートされる。例えば、本実施形態は、キャリアアグリゲーションまたはショートＴＴＩのシナリオにおけるアップリンク制御情報伝送に使用され得る。
【０３１６】
任意選択で、本発明の一実施形態はさらに、図１７に示されるような、次に挙げるアップリンク制御情報伝送方法を提供する。図１７は、本発明の本実施形態に係るアップリンク制御情報伝送方法の概略フローチャートである。図１７の方法は、基地局によって実行されてよい。
【０３１７】
段階１７１０：基地局が、検出対象のアップリンク制御情報を決定する。
【０３１８】
任意選択で、基地局は、検出対象のアップリンク制御情報の情報ビット数を決定してよい。
【０３１９】
段階１７２０：基地局が、アップリンク制御チャネルにおいて、検出対象のアップリンク制御情報を受信する。
【０３２０】
本段階のアップリンク制御チャネルの説明は、図１６の段階１６２０において説明されたものと同一であり、ここでは詳細は繰り返さない。
【０３２１】
図１８は、本発明の一実施形態に係る端末デバイスの概略図である。図１８の端末デバイス１８００は、処理ユニット１８１０および送信ユニット１８２０を備える。
【０３２２】
処理ユニット１８１０は、伝送対象のアップリンク制御情報を決定するよう構成される。
【０３２３】
任意選択で、処理ユニット１８１０が、伝送対象のアップリンク制御情報を決定することは、処理ユニット１８１０が、伝送対象のアップリンク制御情報の情報ビットシーケンスを決定することであってよい。詳細は、図２の段階１１０を参照されたい。ここでは詳細は繰り返さない。
【０３２４】
任意選択で、アップリンク制御情報に対応する情報ビット数は２Ｎより多く、Ｎは、アップリンク制御チャネルによって占有されるシンボルの数である。
【０３２５】
送信ユニット１８２０は、アップリンク制御チャネルを使用することによって、伝送対象のアップリンク制御情報を基地局に送信するよう構成される。
【０３２６】
本段階のアップリンク制御チャネルの説明は、図１６の段階１６２０において説明されたものと同一であり、ここでは詳細は繰り返さない。
【０３２７】
図１９は、本発明の一実施形態に係る基地局の概略図である。図１９の基地局１９００は、処理ユニット１９１０および受信ユニット１９２０を備える。
【０３２８】
処理ユニット１９１０は、検出対象のアップリンク制御情報を決定するよう構成される。任意選択で、処理ユニット１９１０は、検出対象のアップリンク制御情報の情報ビット数を決定してよい。
【０３２９】
受信ユニット１９２０は、アップリンク制御チャネルにおいて、検出対象のアップリンク制御情報を受信するよう構成される。本段階のアップリンク制御チャネルの説明は、図１６の段階１６２０において説明されたものと同一であり、ここでは詳細は繰り返さない。
【０３３０】
当業者であれば認識し得るように、本明細書において開示された実施形態で説明された例と組み合わせて、電子ハードウェア、またはコンピュータソフトウェアと電子ハードウェアとの組み合わせによってユニットおよびアルゴリズムの段階が実装されてよい。機能がハードウェアによって行われるか、ソフトウェアによって実行されるかは、技術的解決手段の特定の用途と設計制約条件とで決まる。当業者であれば、種々の方法を使用して、説明された機能を特定の用途ごとに実装し得るが、そのような実装は、本発明の範囲を超えるものとみなされるべきではない。
【０３３１】
当業者であれば、明確に理解し得るように、説明を簡便かつ簡潔にしやすくするために、上述のシステム、装置、およびユニットの詳細な動作プロセスについては、上述の方法の実施形態における対応するプロセスを参照されたい。ここでは詳細は繰り返さない。
【０３３２】
本願において提供されたいくつかの実施形態において、開示されたシステム、装置、および方法は他の方式で実装され得ることが理解されるべきである。例えば、説明された装置の実施形態は例に過ぎない。例えば、ユニットの分割は、論理的機能の分割に過ぎず、実際の実装では他の分割であってよい。例えば、複数のユニットまたはコンポーネントが別のシステムに組み合わされるか、またはこれに統合されてよい。または、いくつかの特徴が無視されてよく、または行われなくてよい。加えて、表示または説明された相互連結もしくは直接連結または通信接続は、いくつかのインタフェース間、装置間、またはユニット間の間接的な連結または通信接続であってよく、電気的形態、機械的形態、または他の形態で実装されてよい。
【０３３３】
別個の部分として説明されたユニットは、物理的に分かれていても、そうでなくてもよい。ユニットとして表示された部分は、物理的なユニットであっても、そうでなくてもよく、１か所に位置していてもよいか、または複数のネットワークユニットにおいて分散されてよい。ユニットの一部または全部が、実施形態の解決手段の目的を達成すべく、実際の要件にしたがって選択されてよい。
【０３３４】
加えて、本発明の実施形態の機能ユニットが、１つの処理ユニットに統合されてよく、または、ユニットの各々は、物理的に単独で存在してよく、または、２またはそれより多くのユニットが１つのユニットに統合される。
【０３３５】
機能がソフトウェア機能ユニットの形態で実装され、単独の製品として販売または使用されるとき、当該機能は、コンピュータ可読記憶媒体に格納されてよい。そのような理解に基づいて、本発明の技術的解決手段は基本的に、または従来技術に寄与する部分は、または技術的解決手段のいくつかは、ソフトウェア製品の形態で実装されてよい。コンピュータソフトウェア製品は、記憶媒体に格納され、本発明の実施形態に説明された方法の段階の全部または一部を行うよう、（パーソナルコンピュータ、サーバ、ネットワークデバイス、または同様のものであってよい）コンピュータデバイスに命令するためのいくつかの命令を含む。上述の記憶媒体は、プログラムコードを格納できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの任意の媒体を含む。
【０３３６】
上述の説明は、本発明の具体的な実装に過ぎず、本発明の保護範囲を限定することを意図するものではない。本発明において開示された技術範囲内で当業者によって容易に案出されるいかなる変更または置き換えも、本発明の保護範囲に当然に含まれる。ゆえに、本発明の保護範囲は、特許請求の範囲の保護範囲に当然に従う。
［項目１］
アップリンク制御情報伝送方法であって、
伝送対象のアップリンク制御情報の情報ビットシーケンスを端末デバイスが決定する段階と、
上記情報ビットシーケンスにしたがって第１のシーケンスを上記端末デバイスが決定する段階であって、上記第１のシーケンスは線形位相の複素指数シーケンスである、段階と、
アップリンク制御チャネルを使用することによって、上記伝送対象のアップリンク制御情報を基地局に上記端末デバイスが送信する段階であって、上記アップリンク制御チャネルはＮ個のシンボルを占有し、Ｎは正の整数であり、上記Ｎ個のシンボルのうちのシンボルｌにおいて保持される信号は、上記第１のシーケンスと第２のシーケンスとの積に正比例しており、上記第２のシーケンスは巡回シフトシーケンスである、段階と
を備える方法。
［項目２］
上記情報ビットシーケンスにしたがって第１のシーケンスを上記端末デバイスが決定する上記段階は、
上記情報ビットシーケンスと上記アップリンク制御チャネルの上記シンボルの数Ｎとにしたがって第１のビットシーケンスを上記端末デバイスが決定する段階であって、上記第１のビットシーケンスのビット数はＮまたは２Ｎである、段階と、
上記シンボルｌにおいて保持される第２のビットシーケンスを上記第１のビットシーケンスにしたがって上記端末デバイスが決定する段階であって、上記第２のビットシーケンスは、上記第１のビットシーケンスのうちの、上記シンボルｌにおいて保持される部分である、段階と、
上記シンボルｌにおいて保持される上記第２のビットシーケンスにしたがって、対応する上記第１のシーケンスを上記端末デバイスが決定する段階と
を有する、項目１に記載の方法。
［項目３］
上記情報ビットシーケンスのビット数は１であり、上記端末デバイスは、上記第１のビットシーケンスの上記ビット数がＮであると決定し、上記第１のビットシーケンスが、上記情報ビットシーケンスをＮ回循環して繰り返すことによって取得されると決定する、項目２に記載の方法。
［項目４］
上記情報ビットシーケンスのビット数は２であり、上記端末デバイスは、上記第１のビットシーケンスの上記ビット数が２Ｎであると決定し、上記第１のビットシーケンスが、上記情報ビットシーケンスをＮ回循環して繰り返すことによって取得されると決定する、項目２に記載の方法。
［項目５］
上記情報ビットシーケンスのビット数は、３より多いかまたはそれに等しく、かつ２Ｎより少ないかまたはそれに等しく、上記端末デバイスは、上記第１のビットシーケンスの上記ビット数が２Ｎであると決定し、上記第１のビットシーケンスが、リード・ミュラー符号化によって上記情報ビットシーケンスから取得されると決定する、項目２に記載の方法。
［項目６］
上記シンボルｌにおいて保持される上記第２のビットシーケンスにしたがって、対応する上記第１のシーケンスを上記端末デバイスが決定する上記段階は、
上記シンボルｌにおいて保持される上記第２のビットシーケンスのビット数が１である場合、上記第２のビットシーケンスが０のとき、上記第１のシーケンスは｛１，１，１，１，１，１，１，１，１，１，１，１｝であり、もしくは、上記第２のビットシーケンスが１のとき、上記第１のシーケンスは｛１，−１，１，−１，１，−１，１，−１，１，−１，１，−１｝であること、または、
上記シンボルｌにおいて保持される上記第２のビットシーケンスのビット数が２である場合、上記第２のビットシーケンスが００のとき、上記第１のシーケンスは｛１，１，１，１，１，１，１，１，１，１，１，１｝であり、上記第２のビットシーケンスが０１のとき、上記第１のシーケンスは｛１，−ｊ，１，−１，１，−ｊ，１，−１，１，−ｊ，１，−１｝であり、上記第２のビットシーケンスが１０のとき、上記第１のシーケンスは｛１，−１，１，−１，１，−１，１，−１，１，−１，１，−１｝であり、もしくは、上記第２のビットシーケンスが１１のとき、上記第１のシーケンスは｛１，ｊ，−１，−ｊ，１，ｊ，−１，−ｊ，１，ｊ，−１，−ｊ｝であること
を含む、項目２から５のいずれか一項に記載の方法。
［項目７］
上記情報ビットシーケンスにしたがって第１のシーケンスを上記端末デバイスが決定する上記段階は、
上記情報ビットシーケンスのビット数が１である場合、上記情報ビットシーケンスが０のとき、上記第１のシーケンスは｛１，１，１，１，１，１，１，１，１，１，１，１｝であり、もしくは、上記情報ビットシーケンスが１のとき、上記第１のシーケンスは｛１，−１，１，−１，１，−１，１，−１，１，−１，１，−１｝であること、または、
上記情報ビットシーケンスのビット数が２である場合、上記情報ビットシーケンスが００のとき、上記第１のシーケンスは｛１，１，１，１，１，１，１，１，１，１，１，１｝であり、上記情報ビットシーケンスが０１のとき、上記第１のシーケンスは｛１，−ｊ，１，−１，１，−ｊ，１，−１，１，−ｊ，１，−１｝であり、上記情報ビットシーケンスが１０のとき、上記第１のシーケンスは{１，−１，１，−１，１，−１，１，−１，１，−１，１，−１}であり、もしくは、上記情報ビットシーケンスが１１のとき、上記第１のシーケンスは｛１，ｊ，−１，−ｊ，１，ｊ，−１，−ｊ，１，ｊ，−１，−ｊ｝であること
を有する、項目１に記載の方法。
［項目８］
上記第２のシーケンスは、ザドフ・チューシーケンス、または、巡回拡張または切り捨てによってザドフ・チューシーケンスから取得されるシーケンスである、項目１から７のいずれか一項に記載の方法。
［項目９］
上記アップリンク制御チャネルの上記シンボルの数Ｎは、１つのサブフレームに含まれるシンボルの数より少ない、項目１から８のいずれか一項に記載の方法。
［項目１０］
アップリンク制御情報伝送方法であって、
アップリンク制御チャネルを使用することによって端末デバイスによって送信されるアップリンク制御情報を基地局が受信する段階であって、上記アップリンク制御チャネルはＮ個のシンボルを占有し、Ｎは正の整数であり、上記Ｎ個のシンボルのうちのシンボルｌにおいて保持される信号は、第１のシーケンスと第２のシーケンスとの積に正比例し、上記第２のシーケンスは巡回シフトシーケンスである、段階と、
上記アップリンク制御情報の情報ビット数と上記第２のシーケンスとにしたがって上記第１のシーケンスを上記基地局が決定する段階であって、上記第１のシーケンスは、線形位相の複素指数シーケンスである、段階と、
上記第１のシーケンスにしたがって上記アップリンク制御情報の情報ビットシーケンスを上記基地局が決定する段階と
を備える方法。
［項目１１］
上記第１のシーケンスにしたがって上記アップリンク制御情報の情報ビットシーケンスを上記基地局が決定する上記段階は、
上記シンボルｌにおいて保持される第２のビットシーケンスのビット数を上記アップリンク制御情報の上記情報ビット数にしたがって上記基地局が決定する段階と、
上記シンボルｌにおいて保持される上記第２のビットシーケンスを、上記第１のシーケンスと上記シンボルｌにおいて保持される上記第２のビットシーケンスの上記ビット数とにしたがって上記基地局が決定する段階と、
上記シンボルｌにおいて保持される上記第２のビットシーケンスにしたがって上記アップリンク制御情報の上記情報ビットシーケンスを上記基地局が決定する段階とを有し、
上記シンボルｌにおいて保持される上記第２のビットシーケンスを、上記第１のシーケンスと上記シンボルｌにおいて保持される上記第２のビットシーケンスの上記ビット数とにしたがって上記基地局が決定する上記段階は、
上記シンボルｌにおいて保持される上記第２のビットシーケンスの上記ビット数が１である場合、上記第１のシーケンスが｛１，１，１，１，１，１，１，１，１，１，１，１｝のとき、上記シンボルｌにおいて保持される上記第２のビットシーケンスは０であり、もしくは、上記第１のシーケンスが｛１，−１，１，−１，１，−１，１，−１，１，−１，１，−１｝のとき、上記シンボルｌにおいて保持される上記第２のビットシーケンスは１であること、または、
上記シンボルｌにおいて保持される上記第２のビットシーケンスの上記ビット数が２である場合、上記第１のシーケンスが｛１，１，１，１，１，１，１，１，１，１，１，１｝のとき、上記シンボルｌにおいて保持される上記第２のビットシーケンスは００であり、上記第１のシーケンスが｛１，−ｊ，１，−１，１，−ｊ，１，−１，１，−ｊ，１，−１｝のとき、上記シンボルｌにおいて保持される上記第２のビットシーケンスは０１であり、上記第１のシーケンスが｛１，−１，１，−１，１，−１，１，−１，１，−１，１，−１｝のとき、上記シンボルｌにおいて保持される上記第２のビットシーケンスは１０であり、もしくは、上記第１のシーケンスが｛１，ｊ，−１，−ｊ，１，ｊ，−１，−ｊ，１，ｊ，−１，−ｊ｝のとき、上記シンボルｌにおいて保持される上記第２のビットシーケンスは１１であることを含む、
項目１０に記載の方法。
［項目１２］
上記第１のシーケンスにしたがって上記アップリンク制御情報の情報ビットシーケンスを上記基地局が決定する上記段階は、
上記第１のシーケンスと上記アップリンク制御情報の上記ビット数とにしたがって、上記アップリンク制御情報の上記情報ビットシーケンスを上記基地局が決定する段階を有し、上記決定する段階は、
上記アップリンク制御情報の上記ビット数が１である場合、上記第１のシーケンスが｛１，１，１，１，１，１，１，１，１，１，１，１｝のとき、上記シンボルｌにおいて保持される第２のビットシーケンスは０であり、もしくは、上記第１のシーケンスが｛１，−１，１，−１，１，−１，１，−１，１，−１，１，−１｝のとき、上記シンボルｌにおいて保持される第２のビットシーケンスは１であること、または、
上記アップリンク制御情報の上記ビット数が２である場合、上記第１のシーケンスが｛１，１，１，１，１，１，１，１，１，１，１，１｝のとき、上記シンボルｌにおいて保持される第２のビットシーケンスは００であり、上記第１のシーケンスが｛１，−ｊ，１，−１，１，−ｊ，１，−１，１，−ｊ，１，−１｝のとき、上記シンボルｌにおいて保持される第２のビットシーケンスは０１であり、上記第１のシーケンスが｛１，−１，１，−１，１，−１，１，−１，１，−１，１，−１｝のとき、上記シンボルｌにおいて保持される第２のビットシーケンスは１０であり、もしくは、上記第１のシーケンスが｛１，ｊ，−１，−ｊ，１，ｊ，−１，−ｊ，１，ｊ，−１，−ｊ｝のとき、上記シンボルｌにおいて保持される第２のビットシーケンスは１１であることを含む、
項目１０に記載の方法。
［項目１３］
上記第２のシーケンスは、ザドフ・チューシーケンス、または、巡回拡張または切り捨てによってザドフ・チューシーケンスから取得されるシーケンスである、項目１０から１２のいずれか一項に記載の方法。
［項目１４］
上記アップリンク制御チャネルの上記シンボルの数Ｎは、１つのサブフレームに含まれるシンボルの数より少ない、項目１０から１３のいずれか一項に記載の方法。
［項目１５］
アップリンク制御情報伝送方法であって、
伝送対象のアップリンク制御情報の情報ビットシーケンスを端末デバイスが決定する段階と、
アップリンク制御チャネルのシンボルｌにおいて保持される第２のビットシーケンスを上記情報ビットシーケンスにしたがって上記端末デバイスが決定する段階であって、上記アップリンク制御チャネルはＮ個のシンボルを占有し、Ｎは正の整数であり、ｌは整数であり、ｌ＝０，１，・・・，Ｎ−１である、段階と、
上記シンボルｌに対応する第３のシーケンスの巡回シフトを上記第２のビットシーケンスのステータス値にしたがって上記端末デバイスが決定し、上記シンボルｌに対応する上記第３のシーケンスを上記巡回シフトにしたがって決定する段階と、
上記シンボルｌに対応する上記第３のシーケンスを上記アップリンク制御チャネルの上記シンボルｌに上記端末デバイスがマッピングし、上記第３のシーケンスを基地局に送信する段階と
を備える方法。
［項目１６］
アップリンク制御チャネルのシンボルｌにおいて保持される第２のビットシーケンスを上記情報ビットシーケンスにしたがって上記端末デバイスが決定する上記段階は、
上記情報ビットシーケンスと上記アップリンク制御チャネルによって占有されるシンボルの上記数Ｎとにしたがって第１のビットシーケンスを上記端末デバイスが決定する段階であって、上記第１のビットシーケンスのビット数はＮまたは２Ｎである、段階と、
上記アップリンク制御チャネルの上記シンボルｌにおいて保持される上記第２のビットシーケンスを上記第１のビットシーケンスにしたがって上記端末デバイスが決定する段階であって、上記シンボルｌにおいて保持される上記第２のビットシーケンスは、上記第１のビットシーケンスのうちの、上記シンボルｌにおいて保持される部分である、段階と
を有する、項目１５に記載の方法。
［項目１７］
上記情報ビットシーケンスのビット数は１であり、上記端末デバイスは、上記第１のビットシーケンスの上記ビット数がＮであると決定し、上記第１のビットシーケンスが、上記情報ビットシーケンスをＮ回循環して繰り返すことによって取得されると決定する、項目１６に記載の方法。
［項目１８］
上記情報ビットシーケンスのビット数は２であり、上記端末デバイスは、上記第１のビットシーケンスの上記ビット数が２Ｎであると決定し、上記第１のビットシーケンスが、上記情報ビットシーケンスをＮ回循環して繰り返すことによって取得されると決定する、項目１６に記載の方法。
［項目１９］
上記情報ビットシーケンスのビット数は３より多いかまたはそれに等しく、かつ２Ｎより少ないかまたはそれに等しく、上記端末デバイスは、上記第１のビットシーケンスの上記ビット数が２Ｎであると決定し、上記第１のビットシーケンスが、リード・ミュラー符号化によって上記情報ビットシーケンスから取得されると決定する、項目１６に記載の方法。
［項目２０］
上記第２のビットシーケンスの上記ステータス値は、上記第３のシーケンスの上記巡回シフトに対応し、上記第２のビットシーケンスの上記ステータス値は、Ｍ個のステータス値のうちの１つであり、上記Ｍ個のステータス値は、Ｍ個の巡回シフトと一対一の対応関係にあり、Ｍは２のＭ１乗であり、Ｍ１は上記第２のビットシーケンスのビット数であり、ＭおよびＭ１は共に正の整数である、項目１５から１９に記載の方法。
［項目２１］
上記Ｍ個のステータス値のうちの任意の２つに対応する巡回シフトの間隔は、２より大きいかまたはそれに等しい、項目２０に記載の方法。
［項目２２］
上記第３のシーケンスは、ザドフ・チューシーケンス、または、巡回拡張または切り捨てによってザドフ・チューシーケンスから取得されるシーケンスである、項目１５から２１のいずれか一項に記載の方法。
［項目２３］
上記アップリンク制御チャネルの上記シンボルの数Ｎは、１つのサブフレームに含まれるシンボルの数より少ない、項目１５から２２のいずれか一項に記載の方法。
［項目２４］
アップリンク制御情報伝送方法であって、
アップリンク制御チャネルを使用することによって端末デバイスによって送信されるアップリンク制御情報を基地局が受信する段階であって、上記アップリンク制御チャネルはＮ個のシンボルを占有し、Ｎは正の整数であり、上記Ｎ個のシンボルのうちのシンボルｌにおいて保持される信号は、第３のシーケンスに対応しており、上記第３のシーケンスは巡回シフトシーケンスであり、ｌは整数であり、ｌ＝０，１，・・・，Ｎ−１である、段階と、
上記シンボルｌにおいて保持される上記信号に対応する上記第３のシーケンスを上記アップリンク制御情報の情報ビット数にしたがって上記基地局が決定する段階と、
上記シンボルｌにおいて保持される上記信号に対応する上記第３のシーケンスにしたがって上記アップリンク制御情報の情報ビットシーケンスを上記基地局が決定する段階と
を備える方法。
［項目２５］
上記シンボルｌにおいて保持される上記信号に対応する上記第３のシーケンスにしたがって上記アップリンク制御情報の情報ビットシーケンスを上記基地局が決定する上記段階はさらに、
上記シンボルｌにおいて保持される第２のビットシーケンスを、上記シンボルｌにおいて保持される上記信号に対応する上記第３のシーケンスにしたがって上記基地局が決定する段階と、
上記シンボルｌにおいて保持される上記第２のビットシーケンスにしたがって上記アップリンク制御情報の上記情報ビットシーケンスを決定する段階と
を有する、項目２４に記載の方法。
［項目２６］
上記シンボルｌにおいて保持される第２のビットシーケンスを、上記シンボルｌにおいて保持される上記信号に対応する上記第３のシーケンスにしたがって上記基地局が決定する上記段階は、
上記シンボルｌにおいて保持される上記第２のビットシーケンスを、上記シンボルｌにおいて保持される上記信号に対応する上記第３のシーケンスの巡回シフトにしたがって上記基地局が決定する段階であって、上記第３のシーケンスの上記巡回シフトは、上記第２のビットシーケンスのステータス値に対応しており、上記第３のシーケンスの上記巡回シフトは、Ｍ個の巡回シフトのうちの１つであり、上記Ｍ個の巡回シフトは、Ｍ個のステータス値と一対一の対応関係にあり、Ｍは、２のＭ１乗であり、Ｍ１は、上記第２のビットシーケンスのビット数であり、ＭおよびＭ１は共に正の整数である、段階
を含む、項目２５に記載の方法。
［項目２７］
上記Ｍ個のステータス値のうちの任意の２つに対応する巡回シフトの間隔は、２より大きいかまたはそれに等しい、項目２６に記載の方法。
［項目２８］
上記第３のシーケンスは、ザドフ・チューシーケンス、または、巡回拡張または切り捨てによってザドフ・チューシーケンスから取得されるシーケンスである、項目２４から２７のいずれか一項に記載の方法。
［項目２９］
上記アップリンク制御チャネルの上記シンボルの数Ｎは、１つのサブフレームに含まれるシンボルの数より少ない、項目２４から２８のいずれか一項に記載の方法。
［項目３０］
端末デバイスであって、
伝送対象のアップリンク制御情報の情報ビットシーケンスを決定するよう構成される処理ユニットであって、上記処理ユニットはさらに、上記情報ビットシーケンスにしたがって第１のシーケンスを決定するよう構成され、上記第１のシーケンスは、線形位相の複素指数シーケンスである、処理ユニットと、
アップリンク制御チャネルを使用することによって、上記伝送対象のアップリンク制御情報を基地局に送信するよう構成される送信ユニットであって、上記アップリンク制御チャネルはＮ個のシンボルを占有し、Ｎは正の整数であり、上記Ｎ個のシンボルのうちのシンボルｌにおいて保持される信号は、上記第１のシーケンスと第２のシーケンスとの積に正比例し、上記第２のシーケンスは巡回シフトシーケンスである、送信ユニットと
を備える端末デバイス。
［項目３１］
上記処理ユニットが、上記情報ビットシーケンスにしたがって第１のシーケンスを決定することは、
上記情報ビットシーケンスと上記アップリンク制御チャネルの上記シンボルの数Ｎとにしたがって第１のビットシーケンスを上記処理ユニットが決定することであって、上記第１のビットシーケンスのビット数はＮまたは２Ｎである、ことと、
上記シンボルｌにおいて保持される第２のビットシーケンスを上記第１のビットシーケンスにしたがって上記処理ユニットが決定することであって、上記第２のビットシーケンスは、上記第１のビットシーケンスのうちの、上記シンボルｌにおいて保持される部分である、ことと、
上記シンボルｌにおいて保持される上記第２のビットシーケンスにしたがって、対応する上記第１のシーケンスを上記処理ユニットが決定することと
を有する、項目３０に記載の端末デバイス。
［項目３２］
上記情報ビットシーケンスのビット数は１であり、上記処理ユニットは、上記第１のビットシーケンスの上記ビット数がＮであると決定し、上記第１のビットシーケンスが、上記情報ビットシーケンスをＮ回循環して繰り返すことによって取得されると決定する、項目３１に記載の端末デバイス。
［項目３３］
上記情報ビットシーケンスのビット数は２であり、上記処理ユニットは、上記第１のビットシーケンスの上記ビット数が２Ｎであると決定し、上記第１のビットシーケンスが、上記情報ビットシーケンスをＮ回循環して繰り返すことによって取得されると決定する、項目３１に記載の端末デバイス。
［項目３４］
上記情報ビットシーケンスのビット数は、３より多いかまたはそれに等しく、かつ２Ｎより少ないかまたはそれに等しく、上記処理ユニットは、上記第１のビットシーケンスの上記ビット数が２Ｎであると決定し、上記第１のビットシーケンスが、リード・ミュラー符号化によって上記情報ビットシーケンスから取得されると決定する、項目３１に記載の端末デバイス。
［項目３５］
上記処理ユニットが、上記シンボルｌにおいて保持される上記第２のビットシーケンスにしたがって、対応する上記第１のシーケンスを決定することは、
上記シンボルｌにおいて保持される上記第２のビットシーケンスのビット数が１である場合、上記第２のビットシーケンスが０のとき、上記第１のシーケンスは｛１，１，１，１，１，１，１，１，１，１，１，１｝であり、もしくは、上記第２のビットシーケンスが１のとき、上記第１のシーケンスは｛１，−１，１，−１，１，−１，１，−１，１，−１，１，−１｝であること、または、
上記シンボルｌにおいて保持される上記第２のビットシーケンスのビット数が２である場合、上記第２のビットシーケンスが００のとき、上記第１のシーケンスは｛１，１，１，１，１，１，１，１，１，１，１，１｝であり、上記第２のビットシーケンスが０１のとき、上記第１のシーケンスは｛１，−ｊ，１，−１，１，−ｊ，１，−１，１，−ｊ，１，−１｝であり、上記第２のビットシーケンスが１０のとき、上記第１のシーケンスは｛１，−１，１，−１，１，−１，１，−１，１，−１，１，−１｝であり、もしくは、上記第２のビットシーケンスが１１のとき、上記第１のシーケンスは｛１，ｊ，−１，−ｊ，１，ｊ，−１，−ｊ，１，ｊ，−１，−ｊ｝であること
を含む、項目３１から３４のいずれか一項に記載の端末デバイス。
［項目３６］
上記処理ユニットが、上記情報ビットシーケンスにしたがって第１のシーケンスを決定することは、
上記情報ビットシーケンスのビット数が１である場合、上記情報ビットシーケンスが０のとき、上記第１のシーケンスは｛１，１，１，１，１，１，１，１，１，１，１，１｝であり、もしくは、上記情報ビットシーケンスが１のとき、上記第１のシーケンスは｛１，−１，１，−１，１，−１，１，−１，１，−１，１，−１｝であること、または、
上記情報ビットシーケンスのビット数が２である場合、上記情報ビットシーケンスが００のとき、上記第１のシーケンスは｛１，１，１，１，１，１，１，１，１，１，１，１｝であり、上記情報ビットシーケンスが０１のとき、上記第１のシーケンスは｛１，−ｊ，１，−１，１，−ｊ，１，−１，１，−ｊ，１，−１｝であり、上記情報ビットシーケンスが１０のとき、上記第１のシーケンスは{１，−１，１，−１，１，−１，１，−１，１，−１，１，−１}であり、もしくは、上記情報ビットシーケンスが１１のとき、上記第１のシーケンスは｛１，ｊ，−１，−ｊ，１，ｊ，−１，−ｊ，１，ｊ，−１，−ｊ｝であること
有する、項目３０に記載の端末デバイス。
［項目３７］
上記第２のシーケンスはザドフ・チューシーケンス、または、巡回拡張または切り捨てによってザドフ・チューシーケンスから取得されるシーケンスである、項目３０から３６のいずれか一項に記載の端末デバイス。
［項目３８］
上記アップリンク制御チャネルの上記シンボルの数Ｎは、１つのサブフレームに含まれるシンボルの数より少ない、項目３０から３７のいずれか一項に記載の端末デバイス。
［項目３９］
基地局であって、
アップリンク制御チャネルを使用することによって端末デバイスによって送信されるアップリンク制御情報を受信するよう構成される受信ユニットであって、上記アップリンク制御チャネルはＮ個のシンボルを占有し、Ｎは正の整数であり、上記Ｎ個のシンボルのうちのシンボルｌにおいて保持される信号は、第１のシーケンスと第２のシーケンスとの積に正比例し、上記第２のシーケンスは巡回シフトシーケンスである、受信ユニットと、
上記アップリンク制御情報の情報ビット数と上記第２のシーケンスとにしたがって上記第１のシーケンスを決定するよう構成される処理ユニットであって、上記第１のシーケンスは、線形位相の複素指数シーケンスである、処理ユニットと
を備え、
上記処理ユニットはさらに、上記第１のシーケンスにしたがって上記アップリンク制御情報の情報ビットシーケンスを決定するよう構成される、
基地局。
［項目４０］
上記処理ユニットが、上記第１のシーケンスにしたがって上記アップリンク制御情報の情報ビットシーケンスを決定することは、
上記シンボルｌにおいて保持される第２のビットシーケンスのビット数を上記アップリンク制御情報の上記情報ビット数にしたがって上記処理ユニットが決定することと、
上記シンボルｌにおいて保持される上記第２のビットシーケンスを上記第１のシーケンスと上記シンボルｌにおいて保持される上記第２のビットシーケンスの上記ビット数とにしたがって上記処理ユニットが決定することと、
上記シンボルｌにおいて保持される上記第２のビットシーケンスにしたがって上記アップリンク制御情報の上記情報ビットシーケンスを上記処理ユニットが決定することとを有し、
上記シンボルｌにおいて保持される上記第２のビットシーケンスを上記第１のシーケンスと上記シンボルｌにおいて保持される上記第２のビットシーケンスの上記ビット数とにしたがって上記処理ユニットが上記決定することは、
上記シンボルｌにおいて保持される上記第２のビットシーケンスの上記ビット数が１である場合、上記第１のシーケンスが｛１，１，１，１，１，１，１，１，１，１，１，１｝のとき、上記シンボルｌにおいて保持される上記第２のビットシーケンスは０であり、もしくは、上記第１のシーケンスが｛１，−１，１，−１，１，−１，１，−１，１，−１，１，−１｝のとき、上記シンボルｌにおいて保持される上記第２のビットシーケンスは１であること、または、
上記シンボルｌにおいて保持される上記第２のビットシーケンスの上記ビット数が２である場合、上記第１のシーケンスが｛１，１，１，１，１，１，１，１，１，１，１，１｝のとき、上記シンボルｌにおいて保持される上記第２のビットシーケンスは００であり、上記第１のシーケンスが｛１，−ｊ，１，−１，１，−ｊ，１，−１，１，−ｊ，１，−１｝のとき、上記シンボルｌにおいて保持される上記第２のビットシーケンスは０１であり、上記第１のシーケンスが｛１，−１，１，−１，１，−１，１，−１，１，−１，１，−１｝のとき、上記シンボルｌにおいて保持される上記第２のビットシーケンスは１０であり、もしくは、上記第１のシーケンスが｛１，ｊ，−１，−ｊ，１，ｊ，−１，−ｊ，１，ｊ，−１，−ｊ｝のとき、上記シンボルｌにおいて保持される上記第２のビットシーケンスは１１であることを含む、
項目３９に記載の基地局。
［項目４１］
上記処理ユニットが、上記第１のシーケンスにしたがって上記アップリンク制御情報の情報ビットシーケンスを決定することは、
上記第１のシーケンスと上記アップリンク制御情報の上記ビット数とにしたがって上記アップリンク制御情報の上記情報ビットシーケンスを上記処理ユニットが決定することを有し、上記決定することは、
上記アップリンク制御情報の上記ビット数が１である場合、上記第１のシーケンスが｛１，１，１，１，１，１，１，１，１，１，１，１｝のとき、上記シンボルｌにおいて保持される第２のビットシーケンスは０であり、もしくは、上記第１のシーケンスが｛１，−１，１，−１，１，−１，１，−１，１，−１，１，−１｝のとき、上記シンボルｌにおいて保持される第２のビットシーケンスは１であること、または、
上記アップリンク制御情報の上記ビット数が２である場合、上記第１のシーケンスが｛１，１，１，１，１，１，１，１，１，１，１，１｝のとき、上記シンボルｌにおいて保持される第２のビットシーケンスは００であり、上記第１のシーケンスが｛１，−ｊ，１，−１，１，−ｊ，１，−１，１，−ｊ，１，−１｝のとき、上記シンボルｌにおいて保持される第２のビットシーケンスは０１であり、上記第１のシーケンスが｛１，−１，１，−１，１，−１，１，−１，１，−１，１，−１｝のとき、上記シンボルｌにおいて保持される第２のビットシーケンスは１０であり、もしくは、上記第１のシーケンスが｛１，ｊ，−１，−ｊ，１，ｊ，−１，−ｊ，１，ｊ，−１，−ｊ｝のとき、上記シンボルｌにおいて保持される第２のビットシーケンスは１１であることを含む、
項目３９に記載の基地局。
［項目４２］
上記第２のシーケンスはザドフ・チューシーケンス、または、巡回拡張または切り捨てによってザドフ・チューシーケンスから取得されるシーケンスである、項目３９から４１のいずれか一項に記載の基地局。
［項目４３］
上記アップリンク制御チャネルの上記シンボルの数Ｎは、１つのサブフレームに含まれるシンボルの数より少ない、項目３９から４２のいずれか一項に記載の基地局。
［項目４４］
端末デバイスであって、
伝送対象のアップリンク制御情報の情報ビットシーケンスを決定するよう構成される処理ユニットであって、
上記処理ユニットはさらに、アップリンク制御チャネルのシンボルｌにおいて保持される第２のビットシーケンスを上記情報ビットシーケンスにしたがって決定するよう構成され、上記アップリンク制御チャネルはシンボルを占有し、Ｎは正の整数であり、ｌは整数であり、ｌ＝０，１，・・・，Ｎ−１であり、
上記処理ユニットはさらに、上記シンボルｌに対応する第３のシーケンスの巡回シフトを上記第２のビットシーケンスのステータス値にしたがって決定し、上記シンボルｌに対応する上記第３のシーケンスを上記巡回シフトにしたがって決定するよう構成される、処理ユニットと、
上記シンボルｌに対応する上記第３のシーケンスを上記アップリンク制御チャネルの上記シンボルｌにマッピングし、上記第３のシーケンスを基地局に送信するよう構成される送信ユニットと
を備える端末デバイス。
［項目４５］
上記処理ユニットが、アップリンク制御チャネルのシンボルｌにおいて保持される第２のビットシーケンスを上記情報ビットシーケンスにしたがって決定することは、
上記情報ビットシーケンスと上記アップリンク制御チャネルによって占有されるシンボルの上記数Ｎとにしたがって第１のビットシーケンスを上記処理ユニットが決定することであって、上記第１のビットシーケンスのビット数はＮまたは２Ｎである、ことと、
上記アップリンク制御チャネルの上記シンボルｌにおいて保持される上記第２のビットシーケンスを上記第１のビットシーケンスにしたがって上記処理ユニットが決定することであって、上記シンボルｌにおいて保持される上記第２のビットシーケンスは、上記第１のビットシーケンスのうちの、上記シンボルｌにおいて保持される部分である、ことと
を有する、項目４４に記載の端末デバイス。
［項目４６］
上記情報ビットシーケンスのビット数は１であり、上記処理ユニットは、上記第１のビットシーケンスの上記ビット数がＮであると決定し、上記第１のビットシーケンスが、上記情報ビットシーケンスをＮ回循環して繰り返すことによって取得されると決定する、項目４５に記載の端末デバイス。
［項目４７］
上記情報ビットシーケンスのビット数は２であり、上記処理ユニットは、上記第１のビットシーケンスの上記ビット数が２Ｎであると決定し、上記第１のビットシーケンスが、上記情報ビットシーケンスをＮ回循環して繰り返すことによって取得されると決定する、項目４５に記載の端末デバイス。
［項目４８］
上記情報ビットシーケンスのビット数は、３より多いかまたはそれに等しく、かつ２Ｎより少ないかまたはそれに等しく、上記処理ユニットは、上記第１のビットシーケンスの上記ビット数が２Ｎであると決定し、上記第１のビットシーケンスが、リード・ミュラー符号化によって上記情報ビットシーケンスから取得されると決定する、項目４５に記載の端末デバイス。
［項目４９］
上記第２のビットシーケンスのステータス値は、上記第３のシーケンスの複数の巡回シフトと一対一の対応関係にあり、上記第２のビットシーケンスの上記ステータス値は、Ｍ個のステータス値のうちの１つであり、上記Ｍ個のステータス値は、Ｍ個の巡回シフトと一対一の対応関係にあり、Ｍは２のＭ１乗であり、Ｍ１は上記第２のビットシーケンスのビット数であり、ＭおよびＭ１は共に正の整数である、項目４４から４８に記載の端末デバイス。
［項目５０］
上記Ｍ個のステータス値のうちの任意の２つに対応する巡回シフトの間隔は、２より大きいかまたはそれに等しい、項目４９に記載の端末デバイス。
［項目５１］
上記第３のシーケンスはザドフ・チューシーケンス、または、巡回拡張または切り捨てによってザドフ・チューシーケンスから取得されるシーケンスである、項目４４から５０のいずれか一項に記載の端末デバイス。
［項目５２］
上記アップリンク制御チャネルの上記シンボルの数Ｎは、１つのサブフレームに含まれるシンボルの数より少ない、項目４４から５１のいずれか一項に記載の端末デバイス。
［項目５３］
基地局であって、
アップリンク制御チャネルを使用することによって端末デバイスによって送信されるアップリンク制御情報を受信するよう構成される受信ユニットであって、上記アップリンク制御チャネルはＮ個のシンボルを占有し、Ｎは正の整数であり、上記Ｎ個のシンボルのうちのシンボルｌにおいて保持される信号は、第３のシーケンスに対応しており、上記第３のシーケンスは巡回シフトシーケンスであり、ｌは整数であり、ｌ＝０，１，・・・，Ｎ−１である、受信ユニットと、
上記シンボルｌにおいて保持される上記信号に対応する上記第３のシーケンスを上記アップリンク制御情報の情報ビット数にしたがって決定するよう構成される処理ユニットとを備え、
上記処理ユニットはさらに、上記シンボルｌにおいて保持される上記信号に対応する上記第３のシーケンスにしたがって上記アップリンク制御情報の情報ビットシーケンスを決定するよう構成される、
基地局。
［項目５４］
上記基地局が、上記シンボルｌにおいて保持される上記信号に対応する上記第３のシーケンスにしたがって上記アップリンク制御情報の情報ビットシーケンスを決定することは、さらに、
上記シンボルｌにおいて保持される第２のビットシーケンスを、上記シンボルｌにおいて保持される上記信号に対応する上記第３のシーケンスにしたがって上記処理ユニットが決定することと、
上記シンボルｌにおいて保持される上記第２のビットシーケンスにしたがって上記アップリンク制御情報の上記情報ビットシーケンスを決定することと
を有する、項目５３に記載の基地局。
［項目５５］
上記シンボルｌにおいて保持される第２のビットシーケンスを、上記シンボルｌにおいて保持される上記信号に対応する上記第３のシーケンスにしたがって上記処理ユニットが上記決定することは、
上記シンボルｌにおいて保持される上記第２のビットシーケンスを、上記シンボルｌにおいて保持される上記信号に対応する上記第３のシーケンスの巡回シフトにしたがって上記処理ユニットが決定することであって、上記第３のシーケンスの上記巡回シフトは、上記第２のビットシーケンスのステータス値に対応しており、上記第３のシーケンスの上記巡回シフトは、Ｍ個の巡回シフトのうちの１つであり、上記Ｍ個の巡回シフトは、Ｍ個のステータス値と一対一の対応関係にあり、Ｍは、２のＭ１乗であり、Ｍ１は、上記第２のビットシーケンスのビット数であり、ＭおよびＭ１は共に正の整数である、こと
を含む、項目５４に記載の基地局。
［項目５６］
上記Ｍ個のステータス値のうちの任意の２つに対応する巡回シフトの間隔は、２より大きいかまたはそれに等しい、項目５５に記載の基地局。
［項目５７］
上記第３のシーケンスはザドフ・チューシーケンス、または、巡回拡張または切り捨てによってザドフ・チューシーケンスから取得されるシーケンスである、項目５３から５６のいずれか一項に記載の基地局。
［項目５８］
上記アップリンク制御チャネルの上記シンボルの数Ｎは、１つのサブフレームに含まれるシンボルの数より少ない、項目５３から５７のいずれか一項に記載の基地局。
［項目５９］
システムであって、
伝送対象のアップリンク制御情報の情報ビットシーケンスを決定し、上記情報ビットシーケンスにしたがって第１のシーケンスを決定するよう構成される端末デバイスであって、上記第１のシーケンスは、線形位相の複素指数シーケンスであり、
上記端末デバイスはさらに、アップリンク制御チャネルを使用することによって、上記伝送対象のアップリンク制御情報を基地局に送信するよう構成され、上記アップリンク制御チャネルはＮ個のシンボルを占有し、Ｎは正の整数であり、上記Ｎ個のシンボルのうちのシンボルｌにおいて保持される信号は、上記第１のシーケンスと第２のシーケンスとの積に正比例し、上記第２のシーケンスは巡回シフトシーケンスである、端末デバイスと、
上記アップリンク制御チャネルを使用することによって上記端末デバイスによって送信される上記アップリンク制御情報を受信するよう構成される上記基地局とを備え、
上記基地局はさらに、上記アップリンク制御情報の情報ビット数と上記第２のシーケンスとにしたがって上記第１のシーケンスを決定し、上記第１のシーケンスにしたがって上記情報ビットシーケンスを決定するよう構成される、
システム。
［項目６０］
システムであって、
伝送対象のアップリンク制御情報の情報ビットシーケンスを決定し、アップリンク制御チャネルのシンボルｌにおいて保持される第２のビットシーケンスを上記情報ビットシーケンスにしたがって決定するよう構成される端末デバイスであって、上記アップリンク制御チャネルはシンボルを占有し、Ｎは正の整数であり、ｌは整数であり、ｌ＝０，１，・・・，Ｎ−１であり、上記端末デバイスはさらに、上記シンボルｌに対応する第３のシーケンスの巡回シフトを上記第２のビットシーケンスのステータス値にしたがって決定し、上記シンボルｌに対応する上記第３のシーケンスを上記巡回シフトにしたがって決定するよう構成され、
上記端末デバイスはさらに、上記シンボルｌに対応する上記第３のシーケンスを上記アップリンク制御チャネルの上記シンボルｌにマッピングし、上記第３のシーケンスを基地局に送信するよう構成される、端末デバイスと、
上記アップリンク制御チャネルを使用することによって上記端末デバイスによって送信される上記アップリンク制御情報を受信するよう構成される上記基地局とを備え、
上記基地局はさらに、上記シンボルｌにおいて保持される上記信号に対応する上記第３のシーケンスを上記アップリンク制御情報の情報ビット数にしたがって決定し、上記シンボルｌにおいて保持される上記信号に対応する上記第３のシーケンスにしたがって上記情報ビットシーケンスを決定するよう構成される、
システム。
【図１】
0006584037.tif 000002
【図２】
0006584037.tif 000003
【図３】
0006584037.tif 000004
【図４】
0006584037.tif 000005
【図５】
0006584037.tif 000006
【図６】
0006584037.tif 000007
【図７】
0006584037.tif 000008
【図８】
0006584037.tif 000009
【図９】
0006584037.tif 000010
【図１０】
0006584037.tif 000011
【図１１】
0006584037.tif 000012
【図１２】
0006584037.tif 000013
【図１３】
0006584037.tif 000014
【図１４】
0006584037.tif 000015
【図１５】
0006584037.tif 000016
【図１６】
0006584037.tif 000017
【図１７】
0006584037.tif 000018
【図１８】
0006584037.tif 000019
【図１９】
0006584037.tif 000020